(57)【要約】【課題】微細な粒子をも捕集可能で、しかも被処理空気の圧力損失が小さくて小型の集塵装置を提供する。【解決手段】空気清浄機（10）のケーシング（20）内には、プレフィルタユニット（30）と、凝集ユニット（70）と、捕集ユニット（50）とが設けられる。凝集ユニット（70）へは、プレフィルタ（31）で大きな塵埃等を除去された被処理空気が流入する。凝集ユニット（70）では、被処理空気中の微細な浮遊粒子が集塵電極に捕捉され、集塵電極上で複数の浮遊粒子が凝集して凝集粒子となる。凝集粒子は、ある程度の大きさにまで成長すると、集塵電極から剥がれて被処理空気中に飛散する。凝集ユニット（70）の下流に配置された捕集ユニット（50）では、被処理空気中の凝集粒子が集塵フィルタ（51）に捕集される。集塵フィルタ（51）に捕集された凝集粒子は、第２浄化ユニット（60）によって集塵フィルタ（51）から除去される。【選択図】図１
2008023413.tif 000002
【特許請求の範囲】
【請求項１】
被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、
上記気体通路（23）における上記凝集部（70）の下流に配置され、該凝集部（70）を通過した被処理気体中の凝集粒子（101）を捕集する集塵フィルタ（51）と、
上記集塵フィルタ（51）から凝集粒子（101）を除去して該集塵フィルタ（51）を浄化するための浄化機構（60）とを備えている
ことを特徴とする集塵装置。
【請求項２】
請求項１において、
上記凝集部（70）は、被処理気体中の浮遊粒子（100）を帯電させる粒子帯電部（71）と、該粒子帯電部（71）で帯電させた浮遊粒子（100）を電気的な引力で捕捉して凝集させる粒子捕捉部（74）とを備えている
ことを特徴とする集塵装置。
【請求項３】
請求項１又は２において、
上記浄化機構（60）は、上記集塵フィルタ（51）を移動させる駆動機構（56）と、上記駆動機構（56）により駆動されて移動する上記集塵フィルタ（51）と接触するように設置されて該集塵フィルタ（51）から凝縮粒子を掻き取る掻き取り部材（61,65,66）とを備えている
ことを特徴とする集塵装置。
【請求項４】
請求項３において、
上記駆動機構（56）は、上記集塵フィルタ（51）を往復動させるように構成されている
ことを特徴とする集塵装置。
【請求項５】
請求項３において、
上記集塵フィルタ（51）は、無端のシート状に形成される一方、
上記駆動機構（56）は、上記集塵フィルタ（51）を一方向へ移動させるように構成されている
ことを特徴とする集塵装置。
【請求項６】
請求項５において、
上記集塵フィルタ（51）は、上記気体通路（23）における上記凝集部（70）の下流側から上流側に亘って配置され、上記凝集部（70）へ流入する被処理気体中の浮遊粒子（100）の一部を該凝集部（70）の上流側に位置する部分で捕集し、上記凝集部（70）を通過した被処理気体中の凝集粒子（101）を該凝集部（70）の下流側に位置する部分で捕集するように構成されている
ことを特徴とする集塵装置。
【請求項７】
請求項３において、
上記浄化機構（60）は、上記集塵フィルタ（51）から除去された凝集粒子（101）を吸い出すために掃除機が接続されるノズル接続部（63）を備える一方、
上記駆動機構（56）は、上記集塵フィルタ（51）を駆動するための駆動力を上記ノズル接続部（63）に接続された掃除機の吸引力を利用して発生させる動力発生機構（55）を備えている
ことを特徴とする集塵装置。
【請求項８】
請求項７において、
上記浄化機構（60）は、上記集塵フィルタ（51）から除去した凝集粒子（101）を上記動力発生機構（55）で生じた駆動力を利用して上記ノズル接続部（63）へ搬送する搬送部材（57）を備えている
ことを特徴とする集塵装置。
【請求項９】
請求項１又は２において、
上記浄化機構（60）は、上記集塵フィルタ（51）から除去した凝集粒子（101）を保持するように構成された着脱自在の保持容器（62）を備えている
ことを特徴とする集塵装置。
【請求項１０】
請求項１又は２において、
上記浄化機構（60）は、上記集塵フィルタ（51）から除去した凝集粒子（101）を保持する保持容器（62）を備える一方、
上記保持容器（62）には、保持する凝集粒子（101）を吸い出すために掃除機の吸引ノズル（68）が接続されるノズル接続部（63）が設けられている
ことを特徴とする集塵装置。
【請求項１１】
請求項１乃至１０の何れか１つに記載の集塵装置と、
被処理気体としての空気が流れて上記集塵装置が設置される気体通路（23）を形成するケーシング（20）と、
上記気体通路（23）における上記集塵装置の下流に設置されて該気体通路（23）を流れる空気と冷媒を熱交換させる熱交換器（26）とを備えている
殊を特徴とする空気調和装置。
【発明の詳細な説明】
【技術分野】
【０００１】
本発明は、空気や燃焼排ガス等の被処理気体から浮遊粒子を除去するための集塵装置に関するものである。
【背景技術】
【０００２】
従来より、室内空気中のハウスダストや燃焼排ガス中の粉塵などを捕集するために集塵装置が用いられている。
【０００３】
この集塵装置としては、例えば特許文献１に開示されているような電気集塵装置が知られている。この電気集塵装置は、捕集対象の浮遊粒子を予め帯電させ、帯電した浮遊粒子を電気的な引力で捕集するものである。具体的に、特許文献１の電気集塵装置は、浮遊粒子を帯電させるためのイオン化部と、イオン化部の下流に配置された集塵部とを備えている。集塵部では、共に平板状の集塵極板と対向極板とが交互に配置されている。そして、この電気集塵装置では、イオン化部で正（＋）に帯電させられた浮遊粒子が集塵部の負極板である集塵極板に捕集される。
【０００４】
また、集塵装置としては、ＨＥＰＡ（High  Efficiency  Particulate  AirFilter）などの高性能フィルターを用いたものも知られている。この種の集塵装置では、高性能フィルターへ被処理気体を送り込み、被処理気体を高性能フィルターで濾過して浮遊物質を除去している。
【特許文献１】特開平６−２５４４３７号公報
【発明の開示】
【発明が解決しようとする課題】
【０００５】
上述した電気集塵装置では、浮遊粒子を電気的な引力で捕集するため、集塵極板と対向極板の間隔をそれほど狭めなくても、例えば粒径１μｍ程度の微細な粒子まで捕集できる。従って、微細な粒子を捕集する場合でも、電気集塵装置を通過する際の被処理気体の圧力損失はそれ程大きくならない。ところが、この電気集塵装置は、浮遊粒子を集塵極板の表面に付着させる構造となっているため、集塵性能を高めるには集塵極板の表面積を拡大しなければならず、装置の大型化を招くという問題がある。
【０００６】
一方、高性能フィルタを用いた集塵装置では、例えばガラス繊維等を高密度で集積したフィルタで浮遊粒子を捕捉するため、装置が大型化するという問題は電気集塵装置の場合ほど深刻ではない。ところが、この種の集塵装置では、微細な粒子まで捕集しようとすればする程、フィルタを通過する際の被処理気体の圧力損失が大きくなるという問題がある。
【０００７】
本発明は、かかる点に鑑みてなされたものであり、その目的は、微細な粒子をも捕集可能で、しかも被処理気体の圧力損失が小さくて小型の集塵装置を提供することにある。また、本発明の他の目的は、そのような集塵装置を備えた空気調和装置を提供することにある。
【課題を解決するための手段】
【０００８】
第１の発明は、集塵装置を対象としている。そして、被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、上記気体通路（23）における上記凝集部（70）の下流に配置され、該凝集部（70）を通過した被処理気体中の凝集粒子（101）を捕集する集塵フィルタ（51）と、上記集塵フィルタ（51）から凝集粒子（101）を除去して該集塵フィルタ（51）を浄化するための浄化機構（60）とを備えるものである。
【０００９】
第１の発明では、被処理空気中の浮遊粒子（100）が凝集部（70）に一旦捕集される。凝集部（70）では、捕集された複数の浮遊粒子（100）が凝集し、複数の浮遊粒子（100）の集合体である凝集粒子（101）が形成される。凝集粒子（101）は、ある程度の大きさになると凝集部（70）から離れ、被処理気体と共に集塵フィルタ（51）へと流れる。例えば、凝集部（70）に捕集された粒径１μｍ程度の微細な浮遊粒子（100）は、比較的粒径の大きな凝集粒子（101）の一部となって集塵フィルタ（51）へ送られる。集塵フィルタ（51）は、凝集部（70）から被処理気体と共に流れてきた凝集粒子（101）を捕集する。集塵フィルタ（51）に捕集された凝集粒子（101）は、浄化機構（60）によって集塵フィルタ（51）から取り除かれる。
【００１０】
第２の発明は、上記第１の発明において、上記凝集部（70）は、被処理気体中の浮遊粒子（100）を帯電させる粒子帯電部（71）と、該粒子帯電部（71）で帯電させた浮遊粒子（100）を電気的な引力で捕捉して凝集させる粒子捕捉部（74）とを備えるものである。
【００１１】
第２の発明では、被処理気体中の浮遊粒子（100）が粒子帯電部（71）で正（＋）又は負（−）に帯電させられる。帯電した浮遊粒子（100）は、電気的な引力によって粒子捕捉部（74）へ引き寄せられて捕捉される。そして、粒子捕捉部（74）では、捕捉された複数の浮遊粒子（100）が互いに凝集することによって凝集粒子（101）が形成される。
【００１２】
第３の発明は、上記第１又は第２の発明において、上記浄化機構（60）は、上記集塵フィルタ（51）を移動させる駆動機構（56）と、上記駆動機構（56）により駆動されて移動する上記集塵フィルタ（51）と接触するように設置されて該集塵フィルタ（51）から凝縮粒子を掻き取る掻き取り部材（61,65,66）とを備えるものである。
【００１３】
第３の発明では、駆動機構（56）に駆動されて移動する集塵フィルタ（51）に掻き取り部材（61,65,66）を接触させることで、集塵フィルタ（51）から凝集粒子（101）が除去される。
【００１４】
第４の発明は、上記第３の発明において、上記駆動機構（56）は、上記集塵フィルタ（51）を往復動させるように構成されるものである。
【００１５】
第４の発明では、往復動する集塵フィルタ（51）に掻き取り部材（61,65,66）を接触させることで、集塵フィルタ（51）から凝集粒子（101）が除去される。
【００１６】
第５の発明は、上記第３の発明において、上記集塵フィルタ（51）は、無端のシート状に形成される一方、上記駆動機構（56）は、上記集塵フィルタ（51）を一方向へ移動させるように構成されるものである。
【００１７】
第５の発明では、無端のループ状に形成された集塵フィルタ（51）が駆動機構（56）によって一定の方向だけに移動させられる。この発明では、一方向へ移動する集塵フィルタ（51）に掻き取り部材（61,65,66）を接触させることで、集塵フィルタ（51）から凝集粒子（101）が除去される。
【００１８】
第６の発明は、上記第５の発明において、上記集塵フィルタ（51）は、上記気体通路（23）における上記凝集部（70）の下流側から上流側に亘って配置され、上記凝集部（70）へ流入する被処理気体中の浮遊粒子（100）の一部を該凝集部（70）の上流側に位置する部分で捕集し、上記凝集部（70）を通過した被処理気体中の凝集粒子（101）を該凝集部（70）の下流側に位置する部分で捕集するように構成されるものである。
【００１９】
第６の発明では、無端のループ状に形成された集塵フィルタ（51）が、凝集部（70）の上流側では浮遊粒子（100）の一部を捕集し、凝集部（70）の下流側では凝集部（70）で形成された凝集粒子（101）を捕集する。この発明において、集塵フィルタ（51）のうち凝集部（70）の上流に位置する部分で捕集されなかった浮遊粒子（100）は、凝集部（70）で互いに凝集して粒径の大きな凝集粒子（101）となり、集塵フィルタ（51）のうち凝集部（70）の下流に位置する部分に凝集粒子（101）の一部として捕集される。
【００２０】
第７の発明は、上記第３の発明において、上記浄化機構（60）は、上記集塵フィルタ（51）から除去された凝集粒子（101）を吸い出すために掃除機が接続されるノズル接続部（63）を備える一方、上記駆動機構（56）は、上記集塵フィルタ（51）を駆動するための駆動力を上記ノズル接続部（63）に接続された掃除機の吸引力を利用して発生させる動力発生機構（55）を備えるものである。
【００２１】
第７の発明では、ノズル接続部（63）に掃除機を接続することで、集塵フィルタ（51）から除去された凝集粒子（101）が掃除機へと吸い出される。この発明において、動力発生機構（55）は、ノズル接続部（63）に接続された掃除機の吸引力を利用して駆動力を発生させる。集塵フィルタ（51）は、動力発生機構（55）で得られた駆動力によって駆動される。
【００２２】
第８の発明は、上記第７の発明において、上記浄化機構（60）は、上記集塵フィルタ（51）から除去した凝集粒子（101）を上記動力発生機構（55）で生じた駆動力を利用して上記ノズル接続部（63）へ搬送する搬送部材（57）を備えるものである。
【００２３】
第８の発明では、集塵フィルタ（51）から除去された凝集粒子（101）が搬送部材（57）によってノズル接続部（63）に集められる。その際、搬送部材（57）は、動力発生機構（55）が掃除機の吸引力を利用して発生させた駆動力を用いて凝集粒子（101）を搬送する。
【００２４】
第９の発明は、上記第１又は第２の発明において、上記浄化機構（60）は、上記集塵フィルタ（51）から除去した凝集粒子（101）を保持するように構成された着脱自在の保持容器（62）を備えるものである。
【００２５】
第９の発明では、浄化機構（60）に保持容器（62）が設けられる。保持容器（62）内にある程度の量の凝集粒子（101）が溜まった場合は、ユーザーが保持容器（62）を取り外して凝集粒子（101）を破棄することになる。
【００２６】
第１０の発明は、上記第１又は第２の発明において、上記浄化機構（60）は、上記集塵フィルタ（51）から除去した凝集粒子（101）を保持する保持容器（62）を備える一方、上記保持容器（62）には、保持する凝集粒子（101）を吸い出すために掃除機の吸引ノズル（68）が接続されるノズル接続部（63）が設けられるものである。
【００２７】
第１０の発明では、集塵フィルタ（51）から除去された凝集粒子（101）が保持容器（62）内に一旦蓄えられる。保持容器（62）のノズル接続部（63）に掃除機の吸引ノズル（68）を接続し、その状態で掃除機を運転すれば、保持容器（62）内の凝集粒子（101）が掃除機へと吸い出される。
【００２８】
第１１の発明は、空気調和装置を対象とする。そして、上記第１から第１０までの何れか１つの発明の集塵装置と、被処理気体としての空気が流れて上記集塵装置が設置される気体通路（23）を形成するケーシング（20）と、上記気体通路（23）における上記集塵装置の下流に設置されて該気体通路（23）を流れる空気と冷媒を熱交換させる熱交換器（26）とを備えるものである。
【００２９】
第１１の発明では、上記第１〜第１０のうち何れか１つの発明の集塵装置（10）が空気調和装置に設けられる。この空気調和装置では、集塵装置（10）で浄化された被処理空気が熱交換器（26）へ送られて冷却され、あるいは加熱される。浄化されると共に温度調節された被処理空気は、ケーシング（20）から室内へと吹き出される。
【発明の効果】
【００３０】
本発明では、凝集部（70）で複数の浮遊粒子（100）を凝集させることによって凝集粒子（101）を形成し、凝集部（70）で形成された凝集粒子（101）を集塵フィルタ（51）で捕集している。本発明の集塵装置（10）において、例えば粒径１μｍ程度の微細な浮遊粒子（100）は、複数の浮遊粒子（100）からなる比較的粒径の大きな凝集粒子（101）の一部となって集塵フィルタ（51）に捕集される。つまり、この集塵装置（10）では、例えばＨＥＰＡ等の高性能フィルターに比べて目の粗いフィルターを集塵フィルタ（51）として用いた場合であっても、被処理気体から粒径１μｍ程度の微細な浮遊粒子（100）を除去することが可能となる。従って、本発明によれば、被処理気体から微細な浮遊粒子（100）を除去可能で、しかも被処理気体の圧力損失が低い集塵装置（10）を実現できる。
【００３１】
更に、本発明では、浄化機構（60）によって集塵フィルタ（51）から凝集粒子（101）を除去するようにしている。ここで、凝集部（70）は、一旦捕捉した浮遊粒子（100）を凝集させてから凝集粒子（101）として再び被処理気体中へ飛散させている。このため、凝集部（70）に浮遊粒子（100）や凝集粒子（101）が蓄積され続けることはない。また、凝集部（70）から飛散した凝集粒子（101）は集塵フィルタ（51）に捕集されるが、この凝集粒子（101）は浄化機構（60）によって集塵フィルタ（51）から除去されるため、集塵フィルタ（51）に凝集粒子（101）が蓄積され続けることもない。従って、本発明によれば、ユーザーによる凝集部（70）や集塵フィルタ（51）の洗浄作業が不要となり、集塵装置（10）の保守作業に要する労力を削減できる。
【００３２】
上記第２の発明では、粒子帯電部（71）と粒子捕捉部（74）とが凝集部（70）に設けられ、粒子帯電部（71）で帯電した浮遊粒子（100）が電気的な引力によって粒子捕捉部（74）に捕捉される。このため、粒子捕捉部（74）では、そこを通過する際の被処理気体の圧力損失を低く抑えながら、微細な浮遊粒子（100）を確実に捕捉することができる。従って、この発明によれば、被処理気体の圧力損失を低く抑えながら集塵装置（10）の性能向上を図ることができる。
【００３３】
上記第３，第４及び第５の発明では、移動する集塵フィルタ（51）に掻き取り部材（61,65,66）を接触させることで、集塵フィルタ（51）から凝集粒子（101）を取り除いている。従って、これらの発明によれば、簡素な構造の浄化機構（60）によって集塵フィルタ（51）の浄化を確実に行うことができる。
【００３４】
上記第６の発明では、凝集部（70）の上流と下流における粒子の捕集を１つの集塵フィルタ（51）で行っている。従って、この発明によれば、集塵装置（10）の構成を簡素化できる。
【００３５】
上記第７の発明では、浄化機構（60）にノズル接続部（63）を設けている。このため、集塵フィルタ（51）から除去された凝集粒子（101）を掃除機によって確実に排出することができる。また、この発明では、動力発生機構（55）が掃除機の吸引力を利用して発生させた駆動力によって集塵フィルタ（51）を移動させている。このため、集塵フィルタ（51）を移動させるためのモータ等の動力源が不要となり、集塵装置（10）の構成を簡素化できると共に、集塵装置（10）の運転に要するエネルギを削減できる。
【００３６】
上記第８の発明では、搬送部材（57）によって凝集粒子（101）をノズル接続部（63）の付近へ集めている。従って、集塵フィルタ（51）から除去された凝集粒子（101）を、ノズル接続部（63）へ接続された掃除機によって確実に吸い出すことができる。また、この発明の搬送部材（57）は、動力発生機構（55）が掃除機の吸引力を利用して発生させた動力を用いて、凝集粒子（101）を搬送している。従って、この発明によれば、搬送部材（57）を駆動するためのモータ等の動力源が不要となり、集塵装置（10）の複雑化や、集塵装置（10）の運転に要するエネルギの増大を回避できる。
【００３７】
上記第９の発明では、浄化機構（60）の保持容器（62）を着脱自在としている。このため、保持容器（62）に溜まった凝集粒子（101）を破棄する作業が容易となり、集塵装置（10）の保守作業に要する労力を削減できる。
【００３８】
上記第１０の発明によれば、保持容器（62）のノズル接続部（63）に掃除機の吸引ノズル（68）を接続するだけで、保持容器（62）から凝集粒子（101）を排出することができる。従って、この発明によれば、保持容器（62）に溜まった凝集粒子（101）を破棄する作業が容易となり、集塵装置（10）の保守作業に要する労力を削減できる。
【００３９】
上記第１１の発明では、本発明に係る集塵装置（10）を空気調和装置に設けている。従って、室内の温度調節だけでなく空気浄化も行うことができ、室内の快適性を向上させることができる。
【発明を実施するための最良の形態】
【００４０】
以下、本発明の実施形態を図面に基づいて詳細に説明する。
【００４１】
《発明の実施形態１》
本発明の実施形態１について説明する。本実施形態の空気清浄機（10）は、本発明に係る集塵装置を構成している。
【００４２】
〈空気清浄機の全体構成〉
図１に示すように、本実施形態１の空気清浄機（10）は、箱形のケーシング（20）を備えている。このケーシング（20）では、その前面に吸込口（21）が、その上面の背面寄りに吹出口（22）がそれぞれ形成されている。ケーシング（20）の内部には、吸込口（21）から吹出口（22）に至る空気通路（23）が形成されている。この空気通路（23）は、被処理気体としての被処理空気を流通させるための気体通路を構成している。
【００４３】
上記ケーシング（20）内の空気通路（23）には、吸込口（21）から吹出口（22）へ向かって順に、プレフィルタユニット（30）と、凝集部である凝集ユニット（70）と、捕集部である捕集ユニット（50）と、ファン（25）とが設置されている。
【００４４】
プレフィルタユニット（30）は、プレフィルタ（31）と、プレフィルタ（31）を巻き取るための一対のローラ（32,33）と、プレフィルタ（31）を浄化するための第１浄化ユニット（40）とを備えている。プレフィルタ（31）は、被処理空気に含まれる「ほこり」等の比較的大きな浮遊物（塵埃）を捕集するためのフィルタである。このプレフィルタ（31）は、薄くて柔軟なエンドレスのシート状に形成されており、空気通路（23）を横断するように設けられている。プレフィルタ（31）の目の粗さは、例えば一般的な空調機の室内機に取り付けられているフィルタと同程度となっている。プレフィルタユニット（30）の詳細は後述する。
【００４５】
凝集ユニット（70）は、プレフィルタ（31）を通過した被処理空気に残存する浮遊粒子（100）を一旦捕捉して凝集させ、それによって得られた凝集粒子（101）を再び被処理空気中へ飛散させるように構成されている。この凝集ユニット（70）の詳細は後述する。
【００４６】
捕集ユニット（50）は、集塵フィルタ（51）と、集塵フィルタ（51）を巻き取るための一対のローラ（52,53）と、集塵フィルタ（51）を浄化するための第２浄化ユニット（60）とを備えている。集塵フィルタ（51）は、凝集ユニット（70）を通過した被処理空気に含まれる凝集粒子（101）を捕集するためのフィルタである。この集塵フィルタ（51）は、薄くて柔軟なエンドレスのシート状に形成されており、空気通路（23）を横断するように設けられている。集塵フィルタ（51）の目の粗さは、例えば一般的な空調機の室内機に取り付けられているフィルタと同程度、あるいはそれよりもやや細かい程度となっている。捕集ユニット（50）の詳細は後述する。
【００４７】
ファン（25）は、吹出口（22）の真下に配置されている。このファン（25）は、いわゆる遠心ファン（25）であって、前方から吸い込んだ空気を上方へ吹き出すように構成されている。
【００４８】
〈プレフィルタユニット、捕集ユニット〉
プレフィルタユニット（30）と捕集ユニット（50）とは、プレフィルタ（31）を備えるか集塵フィルタ（51）を備えるかの点で相違するが、それ以外の点では同様に構成されている。
【００４９】
上述したように、プレフィルタユニット（30）及び捕集ユニット（50）は、それぞれがフィルタ（31,51）と、一対のローラ（32,33,52,53）と、浄化機構である浄化ユニット（40,60）とを備えている。
【００５０】
図２にも示すように、プレフィルタユニット（30）と捕集ユニット（50）のそれぞれにおいて、一対のローラ（32,33,52,53）は、その一方が空気通路（23）の上端側に、他方が空気通路（23）の下端側にそれぞれ配置されている。空気通路（23）の上端側の第１ローラ（32,52）は、空気通路（23）の下端側の第２ローラ（33,53）のほぼ真上に設置されている。各ローラ（32,33,52,53）は、ケーシング（20）の幅方向（図２における左右方向）へ延びる丸棒状に形成されている。無端のループ状に形成されたフィルタ（31,51）は、第１ローラ（32,52）と第２ローラ（33,53）に掛け渡されている。
【００５１】
プレフィルタユニット（30）と捕集ユニット（50）のそれぞれにおいて、第２ローラ（33,53）の一端には、第２ローラ（33,53）を回転させるためのモータ（34,54）が連結されている。このモータ（34,54）によって第２ローラ（33,53）を駆動すると、フィルタ（31,51）が第１ローラ（32,52）と第２ローラ（33,53）の間を循環する。このように、第１ローラ（32,52）と第２ローラ（33,53）とモータ（34,54）とは、無端状のフィルタ（31,51）を一方向へ移動させる駆動機構（36,56）を構成している。
【００５２】
プレフィルタユニット（30）において、第１浄化ユニット（40）は、第２ローラ（33）の直下に配置されている。また、捕集ユニット（50）において、第２浄化ユニット（60）は、第２ローラ（53）の直下に配置されている。プレフィルタユニット（30）の第１浄化ユニット（40）と捕集ユニット（50）の第２浄化ユニット（60）とは、浄化する対象がプレフィルタ（31）か集塵フィルタ（51）かの点で相違するが、それ以外の点では同様に構成されている。
【００５３】
図３に示すように、第１浄化ユニット（40）と第２浄化ユニット（60）とは、それぞれが掻き取りブラシ（41,61）と収容ケース（42,62）とを備えている。収容ケース（42,62）は、細長い中空の箱状に形成されている。収容ケース（42,62）は、第２ローラ（33,53）に沿う姿勢で、第２ローラ（33,53）の下方に配置されている。掻き取りブラシ（41,61）は、収容ケース（42,62）の内部に収容されている。この掻き取りブラシ（41,61）は、フィルタ（31,51）のうち第２ローラ（33,53）に巻回する部分の外側面と接触するように上向きに配置されており、フィルタ（31,51）から塵埃等を掻き落とすための掻き取り部材を構成している。掻き取りブラシ（41,61）によってフィルタ（31,51）から掻き落とされた塵埃等は、収容ケース（42,62）の内部に溜まる。
【００５４】
第１浄化ユニット（40）と第２浄化ユニット（60）では、それぞれの収容ケース（42,62）に開閉自在のノズル接続部（43,63）が設けられている。このノズル接続部（43,63）は、収容ケース（42,62）の一方の端部寄り（図２における左端寄り）に配置されている。また、ノズル接続部（43,63）は、掃除機の吸引ノズル（68）が接続可能となると共に、吸引ノズル（68）の着脱に連動して開閉するように構成されている。つまり、ノズル接続部（43,63）に吸引ノズル（68）が挿入されると、ノズル接続部（43,63）が開状態となって収容ケース（42,62）の内部空間が吸引ノズル（68）と連通する一方、ノズル接続部（43,63）から吸引ノズル（68）が引き抜かれると、吸引ノズル（68）が閉状態となって収容ケース（42,62）の内部空間が外部から遮断される。
【００５５】
〈凝集ユニット〉
図４に示すように、凝集ユニット（70）は、粒子帯電部（71）と粒子捕捉部（74）とを備えており、凝集部を構成している。
【００５６】
粒子帯電部（71）は、プレフィルタ（31）を通過した被処理空気中に残存する浮遊粒子（100）を帯電させるためのものである。粒子帯電部（71）には、イオン化線（72）と対向電極（73）とが複数ずつ設けられている。対向電極（73）は、それぞれが図１の紙面に垂直方向へ延びる細長い平板状に形成されており、互いに対向する姿勢で上下方向に等間隔に並べられている。イオン下線は、上下に配列された対向電極（73）の間に１本ずつ配置されている。粒子帯電部（71）では、イオン化線（72）と対向電極（73）との間に直流電圧が印加され、イオン化線（72）と対向電極の間を通過する被処理空気中の浮遊粒子（100）が正（＋）に帯電する。
【００５７】
粒子捕捉部（74）は、粒子帯電部（71）で帯電した浮遊粒子（100）を一時的に捕捉して凝集させるためのものである。この粒子捕捉部（74）は、第１電極である集塵電極（75）と、第２電極である対向電極（76）とを備えている。
【００５８】
集塵電極（75）と対向電極（76）は、いずれも図１の紙面に垂直方向へ延びる細長い平板状に形成されている。また、集塵電極（75）と対向電極（76）は、互いにほぼ同じ大きさとなっている。粒子捕捉部（74）では、集塵電極（75）と対向電極（76）とが上下方向に交互に配置されている。また、集塵電極（75）と対向電極（76）とは、互いに向かい合う姿勢で等間隔に配置されている。集塵電極（75）と対向電極（76）の間の空間は、被処理空気を流すための空気流路（77）となっている。この空気流路（77）は、気体流路を構成している。
【００５９】
集塵電極（75）と対向電極（76）の材質は、いずれも微導電性樹脂である。集塵電極（75）と対向電極（76）の材料としては、体積抵抗率が１０８Ω・ｃｍ以上１０１０Ω・ｃｍ未満の微導電性樹脂を用いるのが望ましい。
【００６０】
集塵電極（75）と対向電極（76）の間には、直流電圧が印加されている。具体的に、各集塵電極（75）は電源（79）の負極（−極）に、各対向電極（76）は電源（79）の正極（＋極）にそれぞれ接続されている。粒子帯電部（71）で正（＋）に帯電した浮遊粒子（100）は、電源（79）の負極（−極）に接続された集塵電極（75）に引き寄せられてその表面に付着し、他の浮遊粒子（100）と凝集して凝集粒子（101）を形成する。
【００６１】
集塵電極（75）の表面には、凝集粒子（101）の剥離を促進するための表面処理が施されている。この表面処理としては、フッ素樹脂や撥水剤による被膜を形成することや、表面粗さを極めて小さくする鏡面仕上げを行うこと等が挙げられる。また、この表面処理としては、防汚塗料による塗膜を形成することも挙げられる。この防汚塗料の一例としては、“親水性材料と塗料用疎水性ポリマーと塗料用疎水性ポリマー用の有機溶剤と他の有機溶剤とからなり、他の有機溶剤が塗料用疎水性ポリマー用の有機溶剤の沸点よりも５℃以上高い高沸点有機溶剤であり、さらに該親水性材料／疎水性ポリマーの割合が１／９９〜５０／５０（質量％比）である組成物”が挙げられる。
【００６２】
−運転動作−
空気清浄機（10）の運転動作について説明する。
【００６３】
ファン（25）を運転すると、被処理空気が吸込口（21）を通って空気通路（23）へ取り込まれる（図１を参照）。空気通路（23）へ流入した被処理空気は、最初にプレフィルタユニット（30）のプレフィルタ（31）を通過する。被処理空気に含まれる綿ぼこり等の比較的大きな塵埃は、プレフィルタ（31）に捕集されて被処理空気から除去される。
【００６４】
プレフィルタ（31）を通過した被処理空気は、続いて凝集ユニット（70）へ流入する。凝集ユニット（70）へ流入した被処理空気は、まず粒子帯電部（71）を通過する（図３を参照）。プレフィルタ（31）を通過した被処理空気が粒子帯電部（71）を通過する間には、その被処理空気に残存する浮遊粒子（100）が、正（＋）に帯電する。この粒子帯電部（71）で帯電する浮遊粒子（100）には、例えばタバコの煙などに含まれるような粒径１μｍ以下の極めて微細な粒子も含まれる。
【００６５】
粒子帯電部（71）を通過した被処理空気は、続いて粒子捕捉部（74）へ流入する。粒子捕捉部（74）へ流入した被処理空気は、集塵電極（75）と対向電極（76）の間の空間である空気流路（77）を流れる。上述したように集塵電極（75）と対向電極（76）の間には直流電圧が印加されているため、この空気流路（77）には電界が形成されている。被処理空気中の正（＋）に帯電した浮遊粒子（100）は、集塵電極（75）に引き寄せられてその表面に付着する。
【００６６】
集塵電極（75）の表面では、付着した浮遊粒子（100）同士が互いに凝集し、粒径の大きな凝集粒子（101）が形成される。集塵電極（75）の表面上で形成された凝集粒子（101）は、ある程度の大きさになると集塵電極（75）から剥がれて飛散してゆく。この点について、図５を参照しながら説明する。
【００６７】
上述したように、集塵電極（75）の表面には、粒子帯電部（71）で正（＋）に帯電した浮遊粒子（100）が電気的な引力（即ち、クーロン力）によって引き寄せられて付着する。図５(ａ)に示すように、集塵電極（75）に浮遊粒子（100）が付着すると、平らな集塵電極（75）の表面から浮遊粒子（100）が突出した状態となり、付着した浮遊粒子（100）の近傍に電界が僅かに集中する。このため、後から飛んできた浮遊粒子（100）は、最初に集塵電極（75）に付着した浮遊粒子（100）に付着する確率が高くなる。
【００６８】
その結果、集塵電極（75）の表面上では、図５(ｂ)や図５(ｃ)に示すように、最初に付着した浮遊粒子（100）の近傍に後から飛来した浮遊粒子（100）が集中的に付着し、浮遊粒子（100）同士が互いに凝集することで形成された凝集粒子（101）が次第に成長してゆく。それぞれの浮遊粒子（100）は非常に微細なものなので、それらは互いにファンデルワールス力（分子間力）によって強固に合体している。そして、ある程度の粒径（例えば１０μｍ〜１００μｍ程度）にまで成長した凝集粒子（101）は、図５(ｄ)に示すように、空気流路（77）を流れる被処理空気から力を受けて集塵電極（75）から引き剥がされ、被処理空気と共に下流側へ飛散してゆく。
【００６９】
凝集ユニット（70）を通過した被処理空気は、凝集粒子（101）を含んだ状態で捕集ユニット（50）の集塵フィルタ（51）を通過する。集塵フィルタ（51）では、被処理空気中の凝集粒子（101）が捕捉される。集塵フィルタ（51）で凝集粒子（101）を除去された被処理空気は、ファン（25）に吸い込まれ、その後に吹出口（22）からケーシング（20）の外部へ吹き出される。
【００７０】
プレフィルタユニット（30）ではプレフィルタ（31）の洗浄動作が、捕集ユニット（50）では集塵フィルタ（51）の洗浄動作がそれぞれ行われる。これらの洗浄動作は、例えば空気清浄機（10）の運転時間が所定の基準値に達する毎に行われる。なお、プレフィルタユニット（30）の洗浄動作と、捕集ユニット（50）の洗浄動作とは、同じタイミングで行われる必要は無く、異なるタイミングで個別に行われてもよい。また、例えば空気清浄機（10）の運転時間に応じて洗浄動作を行う場合には、プレフィルタユニット（30）の洗浄動作と捕集ユニット（50）の洗浄動作とのそれぞれについて、運転時間の基準値を個別に設定してもよい。
【００７１】
プレフィルタユニット（30）の洗浄動作では、モータ（34）によって第２ローラ（33）が駆動され、プレフィルタ（31）が移動する。移動中のプレフィルタ（31）は、その外側面が第１浄化ユニット（40）の掻き取りブラシ（41）と擦りあわされる。そして、プレフィルタ（31）に捕集された比較的大きな塵埃は、掻き取りブラシ（41）によってプレフィルタ（31）から掻き落とされて収容ケース（42）内に溜まってゆく。
【００７２】
一方、捕集ユニット（50）の洗浄動作では、モータ（54）によって第２ローラ（53）が駆動され、集塵フィルタ（51）が移動する。移動中の集塵フィルタ（51）は、その外側面が第２浄化ユニット（60）の掻き取りブラシ（61）と擦りあわされる。そして、集塵フィルタ（51）に捕集された凝集粒子（101）は、掻き取りブラシ（61）によって集塵フィルタ（51）から掻き落とされて収容ケース（62）内に溜まってゆく。
【００７３】
これら浄化ユニット（40,60）において、収容ケース（42,62）のノズル接続部（43,63）に掃除機の吸引ノズル（68）を挿入すると、ノズル接続部（43,63）を介して収容ケース（42,62）の内部空間が掃除機の吸引ノズル（68）と連通する。その状態で掃除機を運転すると、収容ケース（42,62）内に溜まった塵埃や凝集粒子（101）が収容ケース（42,62）から掃除機へと吸い出される。
【００７４】
−実施形態１の効果−
本実施形態の空気清浄機（10）では、凝集ユニット（70）で複数の浮遊粒子（100）を凝集させることによって凝集粒子（101）を形成し、凝集ユニット（70）で形成された凝集粒子（101）を捕集ユニット（50）の集塵フィルタ（51）で捕集している。本実施形態の空気清浄機（10）において、例えば粒径１μｍ以下の微細な浮遊粒子（100）は、複数の浮遊粒子（100）からなる比較的粒径の大きな凝集粒子（101）の一部となって集塵フィルタ（51）に捕集される。つまり、この空気清浄機（10）では、例えばＨＥＰＡ等の高性能フィルターに比べて目の粗い集塵フィルタ（51）を用いて、被処理空気から粒径１μｍ以下の微細な浮遊粒子（100）を除去することができる。従って、本実施形態によれば、被処理空気から微細な浮遊粒子（100）を除去可能で、しかも被処理空気の圧力損失が低い空気清浄機（10）を実現できる。その結果、ファン（25）での消費電力を削減できると共に、送風音等の騒音を低減することができる。
【００７５】
また、本実施形態の空気清浄機（10）では、凝集ユニット（70）に粒子帯電部（71）と粒子捕捉部（74）とを設け、粒子帯電部（71）で帯電した浮遊粒子（100）を電気的な引力によって粒子捕捉部（74）の集塵電極（75）に捕捉している。このため、粒子捕捉部（74）では、そこを通過する際の被処理空気の圧力損失を低く抑えながら、微細な浮遊粒子（100）を確実に捕捉することができる。従って、本実施形態によれば、被処理空気の圧力損失を低く抑えながら空気清浄機（10）の性能向上を図ることができる。
【００７６】
また、本実施形態の空気清浄機（10）では、凝集粒子（101）の剥離を促進するための表面処理を集塵電極（75）の表面に施しているため、集塵電極（75）から凝集粒子（101）が剥がれやすくなる。従って、本実施形態によれば、集塵電極（75）に残留する凝集粒子（101）の量を低減することができ、粒子捕捉部（74）の性能を確実に維持することができる。
【００７７】
また、本実施形態の空気清浄機（10）では、第１浄化ユニット（60）によって集塵フィルタ（51）から凝集粒子（101）を除去するようにしている。ここで、凝集ユニット（70）は、一旦捕捉した浮遊粒子（100）を凝集させてから凝集粒子（101）として再び被処理空気中へ飛散させている。このため、凝集ユニット（70）の集塵電極（75）に浮遊粒子（100）や凝集粒子（101）が蓄積され続けることはない。一方、凝集ユニット（70）から飛散した凝集粒子（101）は集塵フィルタ（51）に捕集されるが、この凝集粒子（101）は第２浄化ユニット（60）によって集塵フィルタ（51）から除去されるため、集塵フィルタ（51）に凝集粒子（101）が蓄積され続けることもない。従って、本実施形態によれば、ユーザーによる凝集ユニット（70）や集塵フィルタ（51）の洗浄作業が不要となり、空気清浄機（10）の保守作業に要する労力を削減できる。
【００７８】
また、本実施形態の空気清浄機（10）では、収容ケース（42,62）のノズル接続部（43,63）に掃除機の吸引ノズル（68）を接続するだけで、収容ケース（42,62）から凝集粒子（101）を排出することができる。従って、本実施形態によれば、収容ケース（42,62）に溜まった塵埃や凝集粒子（101）を破棄する作業が容易となり、空気清浄機（10）の保守作業に要する労力を削減できる。
【００７９】
上述したように、本実施形態の凝集ユニット（70）は、粒子帯電部（71）と粒子捕捉部（74）とを備えており、一般的な電気集塵機と同様の構造となっている。ところが、本実施形態の粒子捕捉部（74）では、集塵電極（75）の表面上で浮遊粒子（100）が凝集して凝集粒子（101）となり、ある程度の大きさになった凝集粒子（101）は集塵電極（75）から剥がれて飛散してゆく。つまり、この粒子捕捉部（74）では、一般的な電気集塵機のように集塵電極（75）上に浮遊粒子（100）を保持し続ける必要が無く、一時的に浮遊粒子（100）を保持できれば充分である。このため、本実施形態の粒子捕捉部（74）で用いられる集塵電極（75）の大きさは、一般的な電気集塵機で用いられるものに比べて大幅に小さくなる。従って、本実施形態によれば、空気清浄機（10）の大きさを、同等の性能をもつ電気集塵機に比べて小さくすることができる。
【００８０】
−実施形態１の変形例１−
本実施形態の凝集ユニット（70）では、図６に示すように、集塵電極（75）の表面に微細な突起（78）を多数形成してもよい。この突起（78）は、集塵電極（75）の長手方向（図６の紙面に対して垂直方向）へ延びる細長い畝状ものであってもよいし、柱状あるいは直方体状のものであってもよい。
【００８１】
集塵電極（75）の表面に突起（78）を形成すると、その突起（78）の付近に電界が集中し、その突起（78）に対して浮遊粒子（100）が集中的に付着する。そのため、集塵電極（75）の表面に平均的に浮遊粒子（100）が付着する場合に比べ、被処理空気の流れによって集塵電極（75）から引き剥がされる程度の大きさの凝集粒子（101）を確実に短時間で形成することができ、集塵装置における浮遊粒子（100）の捕集効率を向上させることができる。
【００８２】
−実施形態１の変形例２−
本実施形態の凝集ユニット（70）では、集塵電極（75）と対向電極（76）の間隔を被処理空気の下流側へ向かって次第に狭め、被処理空気の下流側ほど空気流路（77）の断面積が小さくなるようにしてもよい。
【００８３】
本変形例では、図７に示すように、集塵電極（75）の断面形状を長方形状から台形状に変更している。具体的に、集塵電極（75）の断面形状は、被処理空気の上流側に上底が、その下流側に下底がそれぞれ位置する等脚台形となっている。集塵電極（75）と対向電極（76）との間隔は、被処理空気の上流端ではｄであるのに対し、被処理空気の下流端ではｄ'(ｄ'＜ｄ)にまで縮まる。その結果、集塵電極（75）と対向電極（76）との間に形成される空気流路（77）の断面積は、被処理空気の上流側から下流側へ向かって次第に縮小してゆく。
【００８４】
凝集ユニット（70）の粒子捕捉部（74）において、空気流路（77）の断面積が被処理空気の下流側へ向かって次第に狭まっていると、空気流路（77）を流れる被処理空気の流速は、下流側へ進むにつれて次第に上昇してゆく。このため、集塵電極（75）上の凝集粒子（101）が被処理空気から受ける力は被処理空気の下流側ほど大きくなり、集塵電極（75）から凝集粒子（101）が剥がれやすくなる。従って、本変形例によれば、粒子捕捉部（74）で形成された凝集粒子（101）を凝集電極から確実に引き剥がして集塵フィルタ（51）で捕集することができ、空気清浄機（10）における浮遊粒子（100）の捕集効率を向上させることができる。
【００８５】
なお、本変形例の凝集ユニット（70）では、集塵電極（75）の形状を変更することによって空気流路（77）の断面積を変化させているが、その断面積を変化させる手段はこれに限定されるものではない。例えば、対向電極（76）の形状を変更したり、集塵電極（75）と対向電極（76）の両方の形状を変更したり、集塵電極（75）や対向電極（76）の形状は変更せずにそれらの配置を変更することによって、空気流路（77）の断面積を変化させてもよい。
【００８６】
《発明の実施形態２》
本発明の実施形態２について説明する。本実施形態の空気清浄機（10）は、上記実施形態１に遮蔽機構である遮蔽ユニット（80）を追加したものである。ここでは、本実施形態の空気清浄機（10）について、上記実施形態１と異なる点を説明する。
【００８７】
図８に示すように、遮蔽ユニット（80）は、凝集ユニット（70）に設けられている。この遮蔽ユニット（80）は、遮蔽用シート（81）と、遮蔽用シート（81）を巻き取るための一対のローラ（84,85）とを備えている。
【００８８】
一対のローラ（84,85）は、それぞれが図８の紙面に垂直な方向へ延びる細長い丸棒状に形成されている。この一対のローラ（84,85）は、その一方が粒子捕捉部（74）の前面側の上部に、他方が粒子捕捉部（74）の前面側の下部にそれぞれ配置されている。また、各ローラ（84,85）には、図示しないが、ローラ（84,85）を回転させるためのモータが取り付けられている。
【００８９】
遮蔽用シート（81）は、柔軟なシート状に形成されている。遮蔽用シート（81）は、空気の通過を許容する網目状の通気部（82）と、空気の通過を遮断する遮蔽部（83）とを備えている。また、遮蔽用シート（81）には、通気部（82）だけが形成された部分と、通気部（82）と遮蔽部（83）が交互に形成された部分とが設けられている。また、遮蔽用シート（81）のうち通気部（82）と遮蔽部（83）が交互に形成された部分では、通気部（82）の上下幅が集塵電極（75）の厚みよりも幾分広くなるように設定されると共に、通気部（82）の間隔が集塵電極（75）の間隔とほぼ同じ値に設定されている。
【００９０】
遮蔽用シート（81）は、その上端部分が第１ローラ（84）に固定され、その下端部分が第２ローラ（85）に固定されている。そして、遮蔽用シート（81）は、第１ローラ（84）から第２ローラ（85）に亘って張り渡され、粒子捕捉部（74）を構成する集塵電極（75）及び対向電極（76）の前面側を覆うように設けられる。
【００９１】
遮蔽ユニット（80）は、ローラ（84,85）を回転させて遮蔽用シート（81）を移動させることによって、遮蔽用シート（81）のうち通気部（82）だけが形成された部分が粒子捕捉部（74）の前面を覆う第１状態（図８(Ａ)に示す状態）と、遮蔽用シート（81）のうち通気部（82）と遮蔽部（83）が交互に形成された部分が粒子捕捉部（74）の前面を覆う第２状態（図８(Ｂ)に示す状態）とに切り換わる。
【００９２】
−運転動作−
本実施形態の空気清浄機（10）は、凝集動作と飛散動作とを交互に行う。この空気清浄機（10）は、通常は凝集動作を行い、例えば凝集動作の継続時間が所定値に達する毎に飛散動作を一時的に行う。
【００９３】
凝集動作は、凝集ユニット（70）の粒子捕捉部（74）で凝集粒子（101）を形成するための動作である。凝集動作中には、遮蔽ユニット（80）が第１状態（図８(Ａ)に示す状態）に設定され、遮蔽用シート（81）のうち通気部（82）だけが形成された部分によって粒子捕捉部（74）の前面が覆われる。
【００９４】
この状態において、粒子帯電部（71）を通過した被処理空気は、粒子捕捉部（74）の前面に全体に亘って平均的に流入する。従って、粒子捕捉部（74）の空気流路（77）における被処理空気の流速は、空気流路（77）の断面内において概ね一定となる。粒子捕捉部（74）では、被処理空気中の帯電した浮遊粒子（100）が集塵電極（75）に引き寄せられて付着し、集塵電極（75）の表面上で凝集粒子（101）が成長してゆく。
【００９５】
飛散動作は、凝集粒子（101）を集塵電極（75）から引き剥がして被処理空気中へ再び飛散させるための動作である。飛散動作中には、遮蔽ユニット（80）が第２状態（図８(Ｂ)に示す状態）に設定され、遮蔽用シート（81）のうち通気部（82）と遮蔽部（83）が交互に形成された部分によって粒子捕捉部（74）の前面が覆われる。その際、遮蔽用シート（81）の位置は、通気部（82）が集塵電極（75）の前端面と対向するように設定される。
【００９６】
この状態の粒子捕捉部（74）では、空気流路（77）の大部分と対向電極（76）とが遮蔽用シート（81）の遮蔽部（83）によって覆われた状態となり、遮蔽用シート（81）の通気部（82）を通った被処理空気が集塵電極（75）の表面付近を集中的に流れる。粒子捕捉部（74）では、集塵電極（75）の表面付近における被処理空気の流速が凝集動作中に比べて上昇する。そのため飛散動作中には、集塵電極（75）上の凝集粒子（101）が被処理空気の流れから受ける力が大きくなり、凝集粒子（101）が集塵電極（75）から引き剥がされやすくなる。集塵電極（75）から引き剥がされた凝集粒子（101）は、捕集ユニット（50）の集塵フィルタ（51）に捕捉される。
【００９７】
このように、本実施形態の遮蔽ユニット（80）を第２状態に設定すると、粒子捕捉部（74）では集塵電極（75）の近傍における被処理空気の流速が局所的に上昇する。つまり、この遮蔽ユニット（80）は、集塵電極（75）の近傍における被処理空気の流速を凝集動作中に比べて増大させるための増速手段を構成している。
【００９８】
−実施形態２の効果−
本実施形態の空気清浄機（10）では、凝集ユニット（70）の粒子捕捉部（74）へ流入する被処理空気の流れを遮蔽用シート（81）によって部分的に遮ることで、集塵電極（75）の表面付近における被処理空気の流速を高めている。このため、凝集ユニット（70）を通過する被処理空気の流量は変化させずに集塵電極（75）の近傍における被処理空気の流速を高めることができ、それによって集塵電極（75）からの凝集粒子（101）の再飛散を促進させることができる。従って、本実施形態によれば、被処理空気の流量増大に起因して生じる騒音等の問題を回避した上で、凝集ユニット（70）の集塵電極（75）に滞留する凝集粒子（101）の量を削減することによって空気清浄機（10）の性能を高く保つことができる。
【００９９】
−実施形態２の変形例１−
本実施形態の空気清浄機（10）では、粒子捕捉部（74）の集塵電極（75）及び対向電極（76）を可動とすることによって、粒子捕捉部（74）の空気通路（23）における被処理空気の流速を変化させるようにしてもよい。
【０１００】
図９に示すように、本変形例の粒子捕捉部（74）は、各集塵電極（75）と各対向電極（76）とがそれぞれの前端部を軸として回動できるように構成されている。具体的に、集塵電極（75）と対向電極（76）は、概ね水平となる姿勢（図９に二点鎖線で示す姿勢）と、被処理空気の流れの下流側へ向かって傾斜した姿勢（同図に実線で示す姿勢）との間を回動する。
【０１０１】
本変形例において、凝集動作中の粒子捕捉部（74）では、集塵電極（75）と対向電極（76）が概ね水平となる姿勢（図９に二点鎖線で示す姿勢）に設定される。この状態における集塵電極（75）と対向電極（76）の間隔を「ｄ」とする。一方、飛散動作中の粒子捕捉部（74）では、集塵電極（75）と対向電極（76）が傾斜した姿勢（同図に実線で示す姿勢）に設定される。この状態において、集塵電極（75）と対向電極（76）の間隔は、「ｄ」よりも短い「ｄ''」となる。つまり、集塵電極（75）と対向電極（76）の間に形成された空気流路（77）の断面積は、凝集動作中に比べて飛散動作中の方が小さくなる。このため、飛散動作中には、空気流路（77）における被処理空気の流速が凝集動作中に比べて上昇し、集塵電極（75）から凝集粒子（101）が引き剥がされやすくなる。
【０１０２】
−実施形態２の変形例２−
本実施形態の空気清浄機（10）では、被処理空気の流量を変更することによって凝集動作と飛散動作を切り換えるようにしてもよい。具体的に、本変形例の飛散動作では、空気通路（23）における被処理空気の流量が凝集動作中に比べて増大する。被処理空気の流量調節は、ファン（25）の回転速度を調節することによって行われる。被処理空気の流量が増えると、それに伴って粒子凝集部の空気流路（77）における被処理空気の流速も上昇する。このため、集塵電極（75）状の凝集粒子（101）が被処理空気から受ける力が増大し、凝集粒子（101）が集塵電極（75）から引き剥がされやすくなる。
【０１０３】
−実施形態２の変形例３−
本実施形態の空気清浄機（10）では、凝集ユニット（70）を振動させる動作を飛散動作として行ってもよい。
【０１０４】
図１０に示すように、本変形例の空気清浄機（10）には、加振機構である加振ユニット（90）が設けられている。加振ユニット（90）は、加振用モータ（91）と加振用円板（92）とを備えている。加振用円板（92）は、加振用モータ（91）の出力軸に対して偏心した状態で取り付けられている。
【０１０５】
加振ユニット（90）は、加振用円板（92）の外周面が凝集ユニット（70）と接触する位置に設置されている。加振ユニット（90）において、飛散動作中には加振用モータ（91）への通電が行われ、凝集動作中には加振用モータ（91）への通電が停止される。加振用モータ（91）に通電すると、その出力軸に取り付けられた加振用円板（92）が回転し、凝集ユニット（70）が上下方向に揺さぶられる。その結果、粒子捕捉部（74）の集塵電極（75）も振動することとなり、凝集粒子（101）が集塵電極（75）から剥離しやすくなる。
【０１０６】
−実施形態２の変形例４−
本実施形態の空気清浄機（10）では、凝集ユニット（70）における集塵電極（75）及び対向電極（76）と電源（79）との接続状態を切り換える動作を、飛散動作として行ってもよい。
【０１０７】
本変形例において、凝集動作中の粒子捕捉部（74）では、図１１(ａ)に示すように、対向電極（76）が電源（79）の正極（＋極）に接続され、集塵電極（75）が電源（79）の負極（−極）に接続される。この状態では、粒子帯電部（71）で正（＋）に帯電した浮遊粒子（100）が集塵電極（75）に引き寄せられて付着し、集塵電極（75）に付着した浮遊粒子（100）同士が互いに凝集して凝集粒子（101）が形成されてゆく。
【０１０８】
浮遊粒子（100）が集塵電極（75）に付着すると、それまで浮遊粒子（100）が持っていた電荷が集塵電極（75）へ逃げるため、浮遊粒子（100）の電位は集塵電極（75）の電位（この場合は０(ゼロ)ボルト）と等しくなる。ところが、浮遊粒子（100）自体の導電率はさほど高くないことが多いため、集塵電極（75）に付着した浮遊粒子（100）に対して更に付着する浮遊粒子（100）の電荷は、直ぐには集塵電極（75）へ逃げない。そのため、凝集粒子（101）がある程度以上の大きさになると、その凝集粒子（101）には正（＋）の電荷が残った状態となる。
【０１０９】
一方、飛散動作中の粒子捕捉部（74）では、図１１(ｂ)に示すように、集塵電極（75）が電源（79）の正極（＋極）に接続され、対向電極（76）が電源（79）の負極（−極）に接続される。上述したように、集塵電極（75）上の凝集粒子（101）は、正（＋）に帯電した状態となっている。このため、集塵電極（75）を電源（79）の正極（＋極）に接続すると、その表面上の正（＋）に帯電した凝集粒子（101）は、電気的な反発力によって集塵電極（75）から引き離されて被処理空気中へ飛散してゆく。
【０１１０】
なお、本変形例において集塵電極（75）及び対向電極（76）と電源（79）との接続状態を切り換える動作は、機械的あるいは電気的なスイッチを用いて行ってもよいし、集塵電極（75）及び対向電極（76）に対して一時的に交流電圧を印加することによって行ってもよい。
【０１１１】
−実施形態２の変形例５−
本実施形態の空気清浄機（10）では、凝集ユニット（70）の集塵電極（75）と対向電極（76）との間でスパークを発生させる動作を、飛散動作として行ってもよい。集塵電極（75）と対向電極（76）との間で強制的にスパークを発生させると、電気的あるいは物理的な衝撃力が集塵電極（75）上の凝集粒子（101）に作用する。凝集粒子（101）は、衝撃力を受けて集塵電極（75）から引き剥がされ、被処理空気中へと飛散してゆく。
【０１１２】
《発明の実施形態３》
本発明の実施形態３について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１１３】
図１２に示すように、本実施形態の空気清浄機（10）では、プレフィルタユニット（30）のプレフィルタ（31）や捕集ユニット（50）の集塵フィルタ（51）が、上記実施形態１のような無端状ではなく、端部を有する１枚のシート状に形成されている。
【０１１４】
プレフィルタユニット（30）と捕集ユニット（50）のそれぞれでは、フィルタ（31,51）の一端が第１ローラ（32,52）に固定され、フィルタ（31,51）の他端が第２ローラ（33,53）に固定される。また、プレフィルタユニット（30）と捕集ユニット（50）のそれぞれでは、第１ローラ（32,52）と第２ローラ（33,53）の何れもが図外のモータによって駆動される。第１ローラ（32,52）を回転させてフィルタ（31,51）を第１ローラ（32,52）へ巻き取ってゆくと、フィルタ（31,51）が上方へ移動する。一方、第２ローラ（33,53）を回転させてフィルタ（31,51）を第２ローラ（33,53）へ巻き取ってゆくと、フィルタ（31,51）が下方へ移動する。
【０１１５】
プレフィルタユニット（30）でプレフィルタ（31）を移動させると、プレフィルタ（31）に付着した塵埃などが第１浄化ユニット（40）の掻き取りブラシ（41）によって掻き落とされる。また、捕集ユニット（50）で集塵フィルタ（51）を移動させると、集塵フィルタ（51）に付着した凝集粒子（101）が第２浄化ユニット（60）の掻き取りブラシ（61）によって掻き落とされる。
【０１１６】
《発明の実施形態４》
本発明の実施形態４について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１１７】
図１３に示すように、本実施形態の空気清浄機（10）では、１つのフィルタシート（58）がプレフィルタ（31）と集塵フィルタ（51）の両方を兼ねている。フィルタシート（58）は、柔軟な無端のループ状に形成されている。このフィルタシート（58）は、プレフィルタユニット（30）の第１ローラ（32）及び第２ローラ（33）と、捕集ユニット（50）の第１ローラ（52）及び第２ローラ（53）とに掛け渡されている。フィルタシート（58）は、凝集ユニット（70）の上流側に位置する部分（即ち、プレフィルタユニット（30）の第１ローラ（32）から第２ローラ（33）に亘る部分）がプレフィルタ（31）として機能し、凝集ユニット（70）の下流側に位置する部分（即ち、捕集ユニット（50）の第１ローラ（52）から第２ローラ（53）に亘る部分）が集塵フィルタ（51）として機能する。
【０１１８】
また、本実施形態の空気清浄機（10）では、第１浄化ユニット（40）と第２浄化ユニット（60）の配置が上記実施形態１と異なっている。第１浄化ユニット（40）は、凝集ユニット（70）の下方の位置にフィルタシート（58）の外周面に沿って配置されている。第１浄化ユニット（40）の掻き取りブラシ（41）は、フィルタシート（58）の外周面と接触する。第２浄化ユニット（60）は、凝集ユニット（70）の上方の位置にフィルタシート（58）の内周面に沿って配置されている。第２浄化ユニット（60）の掻き取りブラシ（61）は、フィルタシート（58）の内周面と接触する。
【０１１９】
また、本実施形態の空気清浄機（10）では、４本のローラ（32,33,52,53）のうちの何れか１つだけがモータによって回転駆動される。何れかのローラ（32,33,52,53）を回転させると、フィルタシート（58）がローラ（32,33,52,53）によって案内されながら移動する。
【０１２０】
空気通路（23）における凝集ユニット（70）の上流側では、フィルタシート（58）の外側面に被処理空気中の塵埃等が捕捉される。フィルタシート（58）の外側面に付着した塵埃等は、第１浄化ユニット（40）の掻き取りブラシ（41）によって掻き落とされる。一方、空気通路（23）における凝集ユニット（70）の下流側では、フィルタシート（58）の内側面に被処理空気中の凝集粒子（101）が捕捉される。フィルタシート（58）の内側面に付着した凝集粒子（101）は、第２浄化ユニット（60）の掻き取りブラシ（61）によって掻き落とされる。
【０１２１】
《発明の実施形態５》
本発明の実施形態５について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１２２】
図１４に示すように、本実施形態のプレフィルタユニット（30）及び捕集ユニット（50）では、モータ（34,54）に代えて動力発生機構（35,55）が設けられている。この動力発生機構（35,55）は、ノズル接続部（43,63）に掃除機の吸引ノズル（68）を接続した際に、その掃除機の吸引力によって回転動力を発生させるように構成されている。
【０１２３】
プレフィルタユニット（30）の動力発生機構（35）と捕集ユニット（50）の動力発生機構（55）とは、何れも同様の構造となっている。具体的に、動力発生機構（35,55）は、市販の掃除機の吸込具のタービンブラシと同様に、１つ又は複数の螺旋状の羽根を備えた円筒状の羽根車から構成されている。この羽根車は、掃除機の吸引力で回転できるように、その材質が合成樹脂等の比重の軽い材料となっている。そして、プレフィルタユニット（30）の動力発生機構（35）は、歯車等を介してプレフィルタユニット（30）の第２ローラ（33）に連結されている。また、捕集ユニット（50）の動力発生機構（55）は、歯車等を介して捕集ユニット（50）の第２ローラ（53）に連結されている。
【０１２４】
浄化ユニット（40,60）に掃除機の吸引ノズル（68）が接続されると、動力発生機構（35,55）が掃除機の吸引力を利用して発生させた回転動力によって第２ローラ（33,53）を駆動する。第２ローラ（33,53）が回転してフィルタ（31,51）が移動すると、フィルタ（31,51）に付着した塵埃や凝集粒子（101）が掻き取りブラシ（41,61）によって掻き落とされる。フィルタ（31,51）から掻き取られた塵埃や凝集粒子（101）は、ノズル接続部（43,63）に接続された掃除機の吸引ノズル（68）へ吸い込まれる。
【０１２５】
−実施形態５の効果−
本実施形態の第１浄化ユニット（40）及び第２浄化ユニット（60）では、掃除機の吸引力を利用して動力発生機構（35,55）が発生させた駆動力によってフィルタ（31,51）を移動させている。このため、集塵フィルタ（51）を移動させるためのモータ等の動力源が不要となり、空気清浄機（10）の構成を簡素化できると共に、空気清浄機（10）の消費電力を削減できる。
【０１２６】
−実施形態５の変形例−
本実施形態の空気清浄機（10）では、図１５に示すように、第１浄化ユニット（40）と第２浄化ユニット（60）のそれぞれに搬送部材（37,57）を追加してもよい。この搬送部材（37,57）は、螺旋状の突条を有する細長い丸棒状に形成されており、掻き取りブラシ（41,61）に沿って配置されている。また、搬送部材（37,57）は、動力発生機構（35,55）で得られた動力によって回転駆動される。搬送部材（37,57）が回転すると、掻き取りブラシ（41,61）によってフィルタ（31,51）から掻き落とされた塵埃や凝集粒子（101）が、搬送部材（37,57）によってノズル接続部（43,63）の近傍へ搬送される。ノズル接続部（43,63）の近傍へ運ばれた塵埃や凝集粒子（101）は、ノズル接続部（43,63）へ挿入された掃除機の吸引ノズル（68）へと吸い出される。
【０１２７】
本変形例の第１浄化ユニット（40）及び第２浄化ユニット（60）では、搬送部材（37,57）によって塵埃や凝集粒子（101）をノズル接続部（43,63）の付近へ集めている。従って、フィルタ（31,51）から除去された塵埃や凝集粒子（101）を、ノズル接続部（43,63）に接続された掃除機によって確実に吸い出すことができる。また、本変形例の搬送部材（37,57）は、動力発生機構（35,55）が掃除機の吸引力を利用して発生させた動力を用いて、塵埃や凝集粒子（101）を搬送している。従って、本変形例によれば、搬送部材（37,57）を駆動するためのモータ等の動力源が不要となり、空気清浄機（10）の複雑化や、空気清浄機（10）の消費電力の増大を回避できる。
【０１２８】
《その他の実施形態》
−第１変形例−
上記各実施形態の凝集ユニット（70）では、粒子捕捉部（74）の集塵電極（75）と対向電極（76）とを共に平板状に形成しているが、これら集塵電極（75）及び対向電極（76）の形状は、平板状に限定されるものではない。例えば、図１６に示すように、集塵電極（75）を格子状に形成し、その集塵電極（75）に形成された各区画に棒状の対向電極（76）を１本ずつ配置してもよい。この場合、対向電極（76）が挿入された集塵電極（75）の各区画が空気流路（77）を構成する。この空気流路（77）を流れる被処理空気中の浮遊粒子（100）は、空気流路（77）の周囲を囲む集塵電極（75）の表面に付着する。
【０１２９】
−第２変形例−
上記各実施形態の浄化ユニット（40,60）には、フィルタ（31,51）から塵埃や凝集粒子（101）を掻き落とすための部材として掻き取りブラシ（41,61）が設けられているが、フィルタ（31,51）から凝集粒子（101）などを除去するための部材は掻き取りブラシ（41,61）に限定されるものではない。
【０１３０】
例えば、図１７に示すような丸棒状の回転ブラシ（65）を浄化ユニット（40,60）に設け、フィルタ（31,51）を移動させると同時に回転ブラシ（65）を回転させることによって、フィルタ（31,51）から塵埃や凝集粒子（101）を掻き落としてもよい。また、図１８に示すような掻き取りパッド（66）を設け、この掻き取りパッド（66）をフィルタ（31,51）に接触させることによって、フィルタ（31,51）から塵埃や凝集粒子（101）を掻き落としてもよい。
【０１３１】
−第３変形例−
上記各実施形態の浄化ユニット（40,60）では、掻き取りブラシ（41,61）を省略し、ノズル接続部（43,63）に接続された掃除機の吸引力だけを利用して、フィルタ（31,51）から塵埃や凝集粒子（101）を除去するようにしてもよい。
【０１３２】
図１９に示すように、本変形例の浄化ユニット（40,60）では、収容ケース（42,62）の上部に吸引部（67）が形成される。この吸引部（67）は、先細のノズル状に形成されており、その先端の開口部が第２ローラ（33,53）に沿ったフィルタ（31,51）の近傍に配置されている。収容ケース（42,62）のノズル接続部（43,63）に掃除機の吸引ノズル（68）を接続すると、吸引部（67）の開口端から収容ケース（42,62）の内部へ空気が吸い込まれ、その際に生じた気流によって塵埃や凝集粒子（101）がフィルタ（31,51）から引き剥がされる。
【０１３３】
−第４変形例−
上記各実施形態の浄化ユニット（40,60）では、図２０に示すように、収容ケース（42,62）が着脱自在になっていてもよい。本変形例の収容ケース（42,62）は、保持容器を構成している。本変形例では、収容ケース（42,62）を着脱自在とするのに伴って、収容ケース（42,62）からノズル接続部（43,63）を省略している。本変形例においても、フィルタ（31,51）から掻き落とされた塵埃や凝集粒子（101）は、収容ケース（42,62）内に溜まる。空気清浄機（10）のユーザーは、例えば１週間毎あるいは１ヶ月毎に収容ケース（42,62）を取り外し、収容ケース（42,62）内に溜まった塵埃や凝集粒子（101）を廃棄する。
【０１３４】
−第５変形例−
上記各実施形態のプレフィルタユニット（30）及び捕集ユニット（50）では、図２１に示すように、フィルタ（31,51）を上下に往復動させるようにしてもよい。この場合、駆動機構（36,56）は、フィルタ（31,51）を直線的に往復動させるように構成される。図示しないが、本変形例の駆動機構（36,56）は、フィルタ（31,51）の側端部に設けられたラックと、このラックと係合するピニオンが駆動軸に取り付けられたモータとで構成され、ピニオンを回転させることでフィルタ（31,51）を直線的に移動させる。
【０１３５】
本変形例において、第１浄化ユニット（40）はプレフィルタ（31）の前面側の下端部に、第２浄化ユニット（60）は集塵フィルタ（51）の前面側の下端部に配置される。
これら浄化ユニット（40,60）では、掻き取りブラシ（41,61）がフィルタ（31,51）の前面と向かい合うように設置される。
【０１３６】
−第６変形例−
上記各実施形態の捕集ユニット（50）では、集塵フィルタ（51）を用いて凝集粒子（101）を捕集するようにしているが、この捕集ユニット（50）は集塵フィルタ（51）を用いるものに限定されない。
【０１３７】
例えば、図２２に示すように、捕集ユニット（50）は、サイクロン（95）を用いて被処理空気と凝集粒子（101）を分離するように構成されていてもよい。サイクロン（95）では、凝集粒子（101）を含んだ被処理空気が旋回し、遠心力によって凝集粒子（101）が外周壁の近傍へ集められる。凝集粒子（101）を除去された被処理空気は、サイクロン（95）の中央付近から外部へ排出される。
【０１３８】
また、図２３に示すように、捕集ユニット（50）は、重力を利用して被処理空気から凝集粒子（101）を分離するように構成されていてもよい。この場合、捕集ユニット（50）は、凝集ユニット（70）の下流側に設置されたダクト（96）によって構成される。このダクト（96）は、捕集ユニット（50）から所定距離だけ下流側へ進んだ位置で、その断面積が急激に狭まる形状となっている。具体的には、ダクト（96）の底面が階段状に一段高くなることによって、その断面積が狭められている。凝集ユニット（70）から被処理空気と共に流出した凝集粒子（101）は、ダクト（96）のうち断面積の広い部分を流れる間に、重力の作用によってダクト（96）の下方へ集まってくる。ダクト（96）の下方へ集まった凝集粒子（101）は、階段状になったダクト（96）の底面に当たってダクト（96）内に留まる。一方、ダクト（96）内の上部では、被処理空気に含まれる凝集粒子（101）が減少する。そして、被処理空気は、ダクト（96）のうち断面積の狭い部分へ流入して外部へ排出される。ダクト（96）内に溜まった凝集粒子（101）は、段差部に形成された開閉扉（97）を開くことによってダクト（96）から取り出される。
【０１３９】
また、捕集ユニット（50）は、被処理空気中に水を噴霧して凝集粒子（101）を水と共に回収するように構成されていてもよい。
【０１４０】
−第７変形例−
上記の各実施形態は、何れも本発明に係る集塵装置によって空気清浄機（10）を構成したものであったが、本発明に係る集塵装置を空気調和装置に組み込んでもよい。
【０１４１】
図２４に示すように、本変形例では、本発明に係る集塵装置を空気調和装置の室内ユニット（15）に組み込んでいる。この室内ユニット（15）は、室内熱交換器（26）を備える点を除き、上記各実施形態の空気清浄機（10）と同様に構成されている。室内ユニット（15）のケーシング（20）内では、捕集ユニット（50）とファン（25）の間に室内熱交換器（26）が配置される。即ち、この室内ユニット（15）では、プレフィルタユニット（30）と凝集ユニット（70）と捕集ユニット（50）とで構成された集塵装置の下流側に室内熱交換器（26）が配置されている。室内熱交換器（26）は、図外の室外ユニットとの間で循環する冷媒を被処理空気と熱交換させる。
【０１４２】
−第８変形例−
上記各実施形態では、本発明に係る集塵装置によって空気清浄機（10）を構成し、空気から浮遊粒子（100）を除去するようにしていたが、この集塵装置の処理対象は空気に限定されない。例えば、ボイラ等の燃焼排ガスを処理対象とし、燃焼ガス中に含まれる微細な粉塵等を集塵装置によって捕集するようにしてもよい。
【０１４３】
なお、以上の実施形態は、本質的に好ましい例示であって、本発明、その適用物、あるいはその用途の範囲を制限することを意図するものではない。
【産業上の利用可能性】
【０１４４】
以上説明したように、本発明は、空気や燃焼排ガスなどから浮遊粒子（100）を除去するための集塵装置について有用である。
【図面の簡単な説明】
【０１４５】
【図１】実施形態１の空気清浄機の内部構造を示す概略側面図である。
【図２】実施形態１の空気清浄機に設置された状態におけるプレフィルタユニット又は捕集ユニットの概略正面図である。
【図３】実施形態１における浄化ユニットの要部を示す拡大断面図である。
【図４】実施形態１の凝集ユニットを示す概略側面図である。
【図５】凝集ユニットの動作を模式的に示す要部拡大図である。
【図６】実施形態１の変形例１における粒子捕捉部の要部拡大図である。
【図７】実施形態１の変形例２の凝集ユニットを示す概略側面図である。
【図８】実施形態２の凝集ユニットを示す概略側面図であって、(Ａ)は遮蔽ユニットの第１状態を示し、(Ｂ)は遮蔽ユニットの第２状態を示す。
【図９】実施形態２の変形例１の凝集ユニットを示す概略側面図である。
【図１０】実施形態２の変形例３における空気清浄機の要部を示す概略斜視図である。
【図１１】実施形態２の変形例４における粒子捕捉部の要部を示す拡大側面図である。
【図１２】実施形態３の空気清浄機の内部構造を示す概略側面図である。
【図１３】実施形態４の空気清浄機の内部構造を示す概略側面図である。
【図１４】実施形態５の空気清浄機に設置された状態におけるプレフィルタユニット又は捕集ユニットの概略正面図である。
【図１５】実施形態５の変形例の空気清浄機に設置された状態におけるプレフィルタユニット又は捕集ユニットの概略正面図である。
【図１６】その他の実施形態の第１変形例における粒子捕捉部の概略斜視図である。
【図１７】その他の実施形態の第２変形例における浄化ユニットの要部を示す拡大断面図である。
【図１８】その他の実施形態の第２変形例における浄化ユニットの要部を示す拡大断面図である。
【図１９】その他の実施形態の第３変形例における浄化ユニットの要部を示す拡大側面図である。
【図２０】その他の実施形態の第４変形例における空気清浄機の内部構造を示す概略側面図である。
【図２１】その他の実施形態の第５変形例における空気清浄機の要部を示す概略側面図である。
【図２２】その他の実施形態の第６変形例における空気清浄機の要部を示す概略構成図である。
【図２３】その他の実施形態の第６変形例における空気清浄機の要部を示す概略構成図である。
【図２４】その他の実施形態の第７変形例における室内ユニットの内部構造を示す概略側面図である。
【符号の説明】
【０１４６】
20    ケーシング
23    空気通路（気体通路）
26    室内熱交換器（熱交換器）
51    集塵フィルタ
55    動力発生機構
56    駆動機構
61    掻き取りブラシ（掻き取り部材）
62    収容ケース（保持容器）
63    ノズル接続部
65    回転ブラシ（掻き取り部材）
66    掻き取りパッド（掻き取り部材）
70    凝集ユニット（凝集部）
71    粒子帯電部
74    粒子捕捉部
100   浮遊粒子
101   凝集粒子
【図１】
2008023413.tif 000003
【図２】
2008023413.tif 000004
【図３】
2008023413.tif 000005
【図４】
2008023413.tif 000006
【図５】
2008023413.tif 000007
【図６】
2008023413.tif 000008
【図７】
2008023413.tif 000009
【図８】
2008023413.tif 000010
【図９】
2008023413.tif 000011
【図１０】
2008023413.tif 000012
【図１１】
2008023413.tif 000013
【図１２】
2008023413.tif 000014
【図１３】
2008023413.tif 000015
【図１４】
2008023413.tif 000016
【図１５】
2008023413.tif 000017
【図１６】
2008023413.tif 000018
【図１７】
2008023413.tif 000019
【図１８】
2008023413.tif 000020
【図１９】
2008023413.tif 000021
【図２０】
2008023413.tif 000022
【図２１】
2008023413.tif 000023
【図２２】
2008023413.tif 000024
【図２３】
2008023413.tif 000025
【図２４】
2008023413.tif 000026
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、
上記気体通路（23）における上記凝集部（70）の下流に配置され、該凝集部（70）を通過した被処理気体中の凝集粒子（101）を捕集する集塵フィルタ（51）と、
上記集塵フィルタ（51）から凝集粒子（101）を除去して該集塵フィルタ（51）を浄化するための浄化機構（60）とを備える一方、
上記浄化機構（60）は、上記集塵フィルタ（51）を移動させる駆動機構（56）と、上記駆動機構（56）により駆動されて移動する上記集塵フィルタ（51）と接触するように設置されて該集塵フィルタ（51）から凝縮粒子を掻き取る掻き取り部材（61,65,66）とを備えており、
上記集塵フィルタ（51）は、無端のシート状に形成されて上記気体通路（23）における上記凝集部（70）の下流側から上流側に亘って配置され、上記凝集部（70）へ流入する被処理気体中の浮遊粒子（100）の一部を該凝集部（70）の上流側に位置する部分で捕集し、上記凝集部（70）を通過した被処理気体中の凝集粒子（101）を該凝集部（70）の下流側に位置する部分で捕集するように構成され、
上記駆動機構（56）は、上記集塵フィルタ（51）を一方向へ移動させるように構成され、
上記浄化機構（60）では、上記掻き取り部材（61,65,66）が上記集塵フィルタ（51）の内周面と接触するように配置され、
上記集塵フィルタ（51）の外周面と接触して該集塵フィルタ（51）から浮遊粒子（100）を除去する浄化ユニット（40）を更に備えている
ことを特徴とする集塵装置。
【請求項２】
被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、
上記気体通路（23）における上記凝集部（70）の下流に配置され、該凝集部（70）を通過した被処理気体中の凝集粒子（101）を捕集する集塵フィルタ（51）と、
上記集塵フィルタ（51）から凝集粒子（101）を除去して該集塵フィルタ（51）を浄化するための浄化機構（60）とを備える一方、
上記浄化機構（60）は、上記集塵フィルタ（51）を移動させる駆動機構（56）と、上記駆動機構（56）により駆動されて移動する上記集塵フィルタ（51）と接触するように設置されて該集塵フィルタ（51）から凝縮粒子を掻き取る掻き取り部材（61,65,66）と、上記集塵フィルタ（51）から除去された凝集粒子（101）を吸い出すために掃除機が接続されるノズル接続部（63）とを備え、
上記駆動機構（56）は、上記集塵フィルタ（51）を駆動するための駆動力を上記ノズル接続部（63）に接続された掃除機の吸引力を利用して発生させる動力発生機構（55）を備えている
ことを特徴とする集塵装置。
【請求項３】
請求項２において、
上記浄化機構（60）は、上記集塵フィルタ（51）から除去した凝集粒子（101）を上記動力発生機構（55）で生じた駆動力を利用して上記ノズル接続部（63）へ搬送する搬送部材（57）を備えている
ことを特徴とする集塵装置。
【請求項４】
被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、
上記気体通路（23）における上記凝集部（70）の下流に配置され、該凝集部（70）を通過した被処理気体中の凝集粒子（101）を捕集する集塵フィルタ（51）と、
上記集塵フィルタ（51）から凝集粒子（101）を除去して該集塵フィルタ（51）を浄化するための浄化機構（60）とを備える一方、
上記浄化機構（60）は、上記集塵フィルタ（51）から除去した凝集粒子（101）を保持する保持容器（62）を備えており、
上記保持容器（62）には、保持する凝集粒子（101）を吸い出すために掃除機の吸引ノズル（68）が接続されるノズル接続部（63）が設けられている
ことを特徴とする集塵装置。
【請求項５】
請求項１乃至４の何れか１つにおいて、
上記凝集部（70）は、被処理気体中の浮遊粒子（100）を帯電させる粒子帯電部（71）と、該粒子帯電部（71）で帯電させた浮遊粒子（100）を電気的な引力で捕捉して凝集させる粒子捕捉部（74）とを備えている
ことを特徴とする集塵装置。
【請求項６】
請求項１乃至５の何れか１つに記載の集塵装置と、
被処理気体としての空気が流れて上記集塵装置が設置される気体通路（23）を形成するケーシング（20）と、
上記気体通路（23）における上記集塵装置の下流に設置されて該気体通路（23）を流れる空気と冷媒を熱交換させる熱交換器（26）とを備えている
ことを特徴とする空気調和装置。
【手続補正２】
【補正対象書類名】明細書
【補正対象項目名】全文
【補正方法】変更
【補正の内容】
【発明の詳細な説明】
【技術分野】
【０００１】
本発明は、空気や燃焼排ガス等の被処理気体から浮遊粒子を除去するための集塵装置に関するものである。
【背景技術】
【０００２】
従来より、室内空気中のハウスダストや燃焼排ガス中の粉塵などを捕集するために集塵装置が用いられている。
【０００３】
この集塵装置としては、例えば特許文献１に開示されているような電気集塵装置が知られている。この電気集塵装置は、捕集対象の浮遊粒子を予め帯電させ、帯電した浮遊粒子を電気的な引力で捕集するものである。具体的に、特許文献１の電気集塵装置は、浮遊粒子を帯電させるためのイオン化部と、イオン化部の下流に配置された集塵部とを備えている。集塵部では、共に平板状の集塵極板と対向極板とが交互に配置されている。そして、この電気集塵装置では、イオン化部で正（＋）に帯電させられた浮遊粒子が集塵部の負極板である集塵極板に捕集される。
【０００４】
また、集塵装置としては、ＨＥＰＡ（High  Efficiency  Particulate  AirFilter）などの高性能フィルターを用いたものも知られている。この種の集塵装置では、高性能フィルターへ被処理気体を送り込み、被処理気体を高性能フィルターで濾過して浮遊物質を除去している。
【特許文献１】特開平６−２５４４３７号公報
【発明の開示】
【発明が解決しようとする課題】
【０００５】
上述した電気集塵装置では、浮遊粒子を電気的な引力で捕集するため、集塵極板と対向極板の間隔をそれほど狭めなくても、例えば粒径１μｍ程度の微細な粒子まで捕集できる。従って、微細な粒子を捕集する場合でも、電気集塵装置を通過する際の被処理気体の圧力損失はそれ程大きくならない。ところが、この電気集塵装置は、浮遊粒子を集塵極板の表面に付着させる構造となっているため、集塵性能を高めるには集塵極板の表面積を拡大しなければならず、装置の大型化を招くという問題がある。
【０００６】
一方、高性能フィルタを用いた集塵装置では、例えばガラス繊維等を高密度で集積したフィルタで浮遊粒子を捕捉するため、装置が大型化するという問題は電気集塵装置の場合ほど深刻ではない。ところが、この種の集塵装置では、微細な粒子まで捕集しようとすればする程、フィルタを通過する際の被処理気体の圧力損失が大きくなるという問題がある。
【０００７】
本発明は、かかる点に鑑みてなされたものであり、その目的は、微細な粒子をも捕集可能で、しかも被処理気体の圧力損失が小さくて小型の集塵装置を提供することにある。また、本発明の他の目的は、そのような集塵装置を備えた空気調和装置を提供することにある。
【課題を解決するための手段】
【０００８】
第１，２，４の各発明は、集塵装置を対象としている。そして、被処理気体が流れる気体通路（23）に配置され、該被処理気体中の浮遊粒子（100）を凝集させて凝集粒子（101）を形成すると共に形成した凝集粒子（101）を被処理気体中に飛散させる凝集部（70）と、上記気体通路（23）における上記凝集部（70）の下流に配置され、該凝集部（70）を通過した被処理気体中の凝集粒子（101）を捕集する集塵フィルタ（51）と、上記集塵フィルタ（51）から凝集粒子（101）を除去して該集塵フィルタ（51）を浄化するための浄化機構（60）とを備えるものである。
【０００９】
第１，２，４の各発明では、被処理空気中の浮遊粒子（100）が凝集部（70）に一旦捕集される。凝集部（70）では、捕集された複数の浮遊粒子（100）が凝集し、複数の浮遊粒子（100）の集合体である凝集粒子（101）が形成される。凝集粒子（101）は、ある程度の大きさになると凝集部（70）から離れ、被処理気体と共に集塵フィルタ（51）へと流れる。例えば、凝集部（70）に捕集された粒径１μｍ程度の微細な浮遊粒子（100）は、比較的粒径の大きな凝集粒子（101）の一部となって集塵フィルタ（51）へ送られる。集塵フィルタ（51）は、凝集部（70）から被処理気体と共に流れてきた凝集粒子（101）を捕集する。集塵フィルタ（51）に捕集された凝集粒子（101）は、浄化機構（60）によって集塵フィルタ（51）から取り除かれる。
【００１０】
第１，２の各発明は、上述した構成に加えて、上記浄化機構（60）は、上記集塵フィルタ（51）を移動させる駆動機構（56）と、上記駆動機構（56）により駆動されて移動する上記集塵フィルタ（51）と接触するように設置されて該集塵フィルタ（51）から凝縮粒子を掻き取る掻き取り部材（61,65,66）とを備えるものである。
【００１１】
第１，２の各発明では、駆動機構（56）に駆動されて移動する集塵フィルタ（51）に掻き取り部材（61,65,66）を接触させることで、集塵フィルタ（51）から凝集粒子（101）が除去される。
【００１２】
第１の発明は、上述した構成に加えて、上記集塵フィルタ（51）は、上記気体通路（23）における上記凝集部（70）の下流側から上流側に亘って配置され、上記凝集部（70）へ流入する被処理気体中の浮遊粒子（100）の一部を該凝集部（70）の上流側に位置する部分で捕集し、上記凝集部（70）を通過した被処理気体中の凝集粒子（101）を該凝集部（70）の下流側に位置する部分で捕集するように構成されるものである。
【００１３】
第１の発明では、無端のループ状に形成された集塵フィルタ（51）が、凝集部（70）の上流側では浮遊粒子（100）の一部を捕集し、凝集部（70）の下流側では凝集部（70）で形成された凝集粒子（101）を捕集する。この発明において、集塵フィルタ（51）のうち凝集部（70）の上流に位置する部分で捕集されなかった浮遊粒子（100）は、凝集部（70）で互いに凝集して粒径の大きな凝集粒子（101）となり、集塵フィルタ（51）のうち凝集部（70）の下流に位置する部分に凝集粒子（101）の一部として捕集される。
【００１４】
第２の発明は、上述した構成に加えて、上記浄化機構（60）は、上記集塵フィルタ（51）から除去された凝集粒子（101）を吸い出すために掃除機が接続されるノズル接続部（63）を備える一方、上記駆動機構（56）は、上記集塵フィルタ（51）を駆動するための駆動力を上記ノズル接続部（63）に接続された掃除機の吸引力を利用して発生させる動力発生機構（55）を備えるものである。
【００１５】
第２の発明では、ノズル接続部（63）に掃除機を接続することで、集塵フィルタ（51）から除去された凝集粒子（101）が掃除機へと吸い出される。この発明において、動力発生機構（55）は、ノズル接続部（63）に接続された掃除機の吸引力を利用して駆動力を発生させる。集塵フィルタ（51）は、動力発生機構（55）で得られた駆動力によって駆動される。
【００１６】
第３の発明は、上記第２の発明において、上記浄化機構（60）は、上記集塵フィルタ（51）から除去した凝集粒子（101）を上記動力発生機構（55）で生じた駆動力を利用して上記ノズル接続部（63）へ搬送する搬送部材（57）を備えるものである。
【００１７】
第３の発明では、集塵フィルタ（51）から除去された凝集粒子（101）が搬送部材（57）によってノズル接続部（63）に集められる。その際、搬送部材（57）は、動力発生機構（55）が掃除機の吸引力を利用して発生させた駆動力を用いて凝集粒子（101）を搬送する。
【００１８】
第４の発明は、上述した構成に加えて、上記浄化機構（60）は、上記集塵フィルタ（51）から除去した凝集粒子（101）を保持する保持容器（62）を備える一方、上記保持容器（62）には、保持する凝集粒子（101）を吸い出すために掃除機の吸引ノズル（68）が接続されるノズル接続部（63）が設けられるものである。
【００１９】
第４の発明では、集塵フィルタ（51）から除去された凝集粒子（101）が保持容器（62）内に一旦蓄えられる。保持容器（62）のノズル接続部（63）に掃除機の吸引ノズル（68）を接続し、その状態で掃除機を運転すれば、保持容器（62）内の凝集粒子（101）が掃除機へと吸い出される。
【００２０】
第５の発明は、上記第１〜第４の何れか１つの発明において、上記凝集部（70）は、被処理気体中の浮遊粒子（100）を帯電させる粒子帯電部（71）と、該粒子帯電部（71）で帯電させた浮遊粒子（100）を電気的な引力で捕捉して凝集させる粒子捕捉部（74）とを備えるものである。
【００２１】
第５の発明では、被処理気体中の浮遊粒子（100）が粒子帯電部（71）で正（＋）又は負（−）に帯電させられる。帯電した浮遊粒子（100）は、電気的な引力によって粒子捕捉部（74）へ引き寄せられて捕捉される。そして、粒子捕捉部（74）では、捕捉された複数の浮遊粒子（100）が互いに凝集することによって凝集粒子（101）が形成される。
【００２２】
第６の発明は、空気調和装置を対象とする。そして、上記第１から第５までの何れか１つの発明の集塵装置と、被処理気体としての空気が流れて上記集塵装置が設置される気体通路（23）を形成するケーシング（20）と、上記気体通路（23）における上記集塵装置の下流に設置されて該気体通路（23）を流れる空気と冷媒を熱交換させる熱交換器（26）とを備えるものである。
【００２３】
第６の発明では、上記第１〜第５のうち何れか１つの発明の集塵装置（10）が空気調和装置に設けられる。この空気調和装置では、集塵装置（10）で浄化された被処理空気が熱交換器（26）へ送られて冷却され、あるいは加熱される。浄化されると共に温度調節された被処理空気は、ケーシング（20）から室内へと吹き出される。
【発明の効果】
【００２４】
本発明では、凝集部（70）で複数の浮遊粒子（100）を凝集させることによって凝集粒子（101）を形成し、凝集部（70）で形成された凝集粒子（101）を集塵フィルタ（51）で捕集している。本発明の集塵装置（10）において、例えば粒径１μｍ程度の微細な浮遊粒子（100）は、複数の浮遊粒子（100）からなる比較的粒径の大きな凝集粒子（101）の一部となって集塵フィルタ（51）に捕集される。つまり、この集塵装置（10）では、例えばＨＥＰＡ等の高性能フィルターに比べて目の粗いフィルターを集塵フィルタ（51）として用いた場合であっても、被処理気体から粒径１μｍ程度の微細な浮遊粒子（100）を除去することが可能となる。従って、本発明によれば、被処理気体から微細な浮遊粒子（100）を除去可能で、しかも被処理気体の圧力損失が低い集塵装置（10）を実現できる。
【００２５】
更に、本発明では、浄化機構（60）によって集塵フィルタ（51）から凝集粒子（101）を除去するようにしている。ここで、凝集部（70）は、一旦捕捉した浮遊粒子（100）を凝集させてから凝集粒子（101）として再び被処理気体中へ飛散させている。このため、凝集部（70）に浮遊粒子（100）や凝集粒子（101）が蓄積され続けることはない。また、凝集部（70）から飛散した凝集粒子（101）は集塵フィルタ（51）に捕集されるが、この凝集粒子（101）は浄化機構（60）によって集塵フィルタ（51）から除去されるため、集塵フィルタ（51）に凝集粒子（101）が蓄積され続けることもない。従って、本発明によれば、ユーザーによる凝集部（70）や集塵フィルタ（51）の洗浄作業が不要となり、集塵装置（10）の保守作業に要する労力を削減できる。
【００２６】
上記第５の発明では、粒子帯電部（71）と粒子捕捉部（74）とが凝集部（70）に設けられ、粒子帯電部（71）で帯電した浮遊粒子（100）が電気的な引力によって粒子捕捉部（74）に捕捉される。このため、粒子捕捉部（74）では、そこを通過する際の被処理気体の圧力損失を低く抑えながら、微細な浮遊粒子（100）を確実に捕捉することができる。従って、この発明によれば、被処理気体の圧力損失を低く抑えながら集塵装置（10）の性能向上を図ることができる。
【００２７】
上記第１，第２の各発明では、移動する集塵フィルタ（51）に掻き取り部材（61,65,66）を接触させることで、集塵フィルタ（51）から凝集粒子（101）を取り除いている。従って、これらの発明によれば、簡素な構造の浄化機構（60）によって集塵フィルタ（51）の浄化を確実に行うことができる。
【００２８】
上記第１の発明では、凝集部（70）の上流と下流における粒子の捕集を１つの集塵フィルタ（51）で行っている。従って、この発明によれば、集塵装置（10）の構成を簡素化できる。
【００２９】
上記第２の発明では、浄化機構（60）にノズル接続部（63）を設けている。このため、集塵フィルタ（51）から除去された凝集粒子（101）を掃除機によって確実に排出することができる。また、この発明では、動力発生機構（55）が掃除機の吸引力を利用して発生させた駆動力によって集塵フィルタ（51）を移動させている。このため、集塵フィルタ（51）を移動させるためのモータ等の動力源が不要となり、集塵装置（10）の構成を簡素化できると共に、集塵装置（10）の運転に要するエネルギを削減できる。
【００３０】
上記第３の発明では、搬送部材（57）によって凝集粒子（101）をノズル接続部（63）の付近へ集めている。従って、集塵フィルタ（51）から除去された凝集粒子（101）を、ノズル接続部（63）へ接続された掃除機によって確実に吸い出すことができる。また、この発明の搬送部材（57）は、動力発生機構（55）が掃除機の吸引力を利用して発生させた動力を用いて、凝集粒子（101）を搬送している。従って、この発明によれば、搬送部材（57）を駆動するためのモータ等の動力源が不要となり、集塵装置（10）の複雑化や、集塵装置（10）の運転に要するエネルギの増大を回避できる。
【００３１】
上記第４の発明によれば、保持容器（62）のノズル接続部（63）に掃除機の吸引ノズル（68）を接続するだけで、保持容器（62）から凝集粒子（101）を排出することができる。従って、この発明によれば、保持容器（62）に溜まった凝集粒子（101）を破棄する作業が容易となり、集塵装置（10）の保守作業に要する労力を削減できる。
【００３２】
上記第６の発明では、本発明に係る集塵装置（10）を空気調和装置に設けている。従って、室内の温度調節だけでなく空気浄化も行うことができ、室内の快適性を向上させることができる。
【発明を実施するための最良の形態】
【００３３】
以下、本発明の実施形態を図面に基づいて詳細に説明する。
【００３４】
《発明の実施形態１》
本発明の実施形態１について説明する。本実施形態の空気清浄機（10）は、本発明に係る集塵装置を構成している。
【００３５】
〈空気清浄機の全体構成〉
図１に示すように、本実施形態１の空気清浄機（10）は、箱形のケーシング（20）を備えている。このケーシング（20）では、その前面に吸込口（21）が、その上面の背面寄りに吹出口（22）がそれぞれ形成されている。ケーシング（20）の内部には、吸込口（21）から吹出口（22）に至る空気通路（23）が形成されている。この空気通路（23）は、被処理気体としての被処理空気を流通させるための気体通路を構成している。
【００３６】
上記ケーシング（20）内の空気通路（23）には、吸込口（21）から吹出口（22）へ向かって順に、プレフィルタユニット（30）と、凝集部である凝集ユニット（70）と、捕集部である捕集ユニット（50）と、ファン（25）とが設置されている。
【００３７】
プレフィルタユニット（30）は、プレフィルタ（31）と、プレフィルタ（31）を巻き取るための一対のローラ（32,33）と、プレフィルタ（31）を浄化するための第１浄化ユニット（40）とを備えている。プレフィルタ（31）は、被処理空気に含まれる「ほこり」等の比較的大きな浮遊物（塵埃）を捕集するためのフィルタである。このプレフィルタ（31）は、薄くて柔軟なエンドレスのシート状に形成されており、空気通路（23）を横断するように設けられている。プレフィルタ（31）の目の粗さは、例えば一般的な空調機の室内機に取り付けられているフィルタと同程度となっている。プレフィルタユニット（30）の詳細は後述する。
【００３８】
凝集ユニット（70）は、プレフィルタ（31）を通過した被処理空気に残存する浮遊粒子（100）を一旦捕捉して凝集させ、それによって得られた凝集粒子（101）を再び被処理空気中へ飛散させるように構成されている。この凝集ユニット（70）の詳細は後述する。
【００３９】
捕集ユニット（50）は、集塵フィルタ（51）と、集塵フィルタ（51）を巻き取るための一対のローラ（52,53）と、集塵フィルタ（51）を浄化するための第２浄化ユニット（60）とを備えている。集塵フィルタ（51）は、凝集ユニット（70）を通過した被処理空気に含まれる凝集粒子（101）を捕集するためのフィルタである。この集塵フィルタ（51）は、薄くて柔軟なエンドレスのシート状に形成されており、空気通路（23）を横断するように設けられている。集塵フィルタ（51）の目の粗さは、例えば一般的な空調機の室内機に取り付けられているフィルタと同程度、あるいはそれよりもやや細かい程度となっている。捕集ユニット（50）の詳細は後述する。
【００４０】
ファン（25）は、吹出口（22）の真下に配置されている。このファン（25）は、いわゆる遠心ファン（25）であって、前方から吸い込んだ空気を上方へ吹き出すように構成されている。
【００４１】
〈プレフィルタユニット、捕集ユニット〉
プレフィルタユニット（30）と捕集ユニット（50）とは、プレフィルタ（31）を備えるか集塵フィルタ（51）を備えるかの点で相違するが、それ以外の点では同様に構成されている。
【００４２】
上述したように、プレフィルタユニット（30）及び捕集ユニット（50）は、それぞれがフィルタ（31,51）と、一対のローラ（32,33,52,53）と、浄化機構である浄化ユニット（40,60）とを備えている。
【００４３】
図２にも示すように、プレフィルタユニット（30）と捕集ユニット（50）のそれぞれにおいて、一対のローラ（32,33,52,53）は、その一方が空気通路（23）の上端側に、他方が空気通路（23）の下端側にそれぞれ配置されている。空気通路（23）の上端側の第１ローラ（32,52）は、空気通路（23）の下端側の第２ローラ（33,53）のほぼ真上に設置されている。各ローラ（32,33,52,53）は、ケーシング（20）の幅方向（図２における左右方向）へ延びる丸棒状に形成されている。無端のループ状に形成されたフィルタ（31,51）は、第１ローラ（32,52）と第２ローラ（33,53）に掛け渡されている。
【００４４】
プレフィルタユニット（30）と捕集ユニット（50）のそれぞれにおいて、第２ローラ（33,53）の一端には、第２ローラ（33,53）を回転させるためのモータ（34,54）が連結されている。このモータ（34,54）によって第２ローラ（33,53）を駆動すると、フィルタ（31,51）が第１ローラ（32,52）と第２ローラ（33,53）の間を循環する。このように、第１ローラ（32,52）と第２ローラ（33,53）とモータ（34,54）とは、無端状のフィルタ（31,51）を一方向へ移動させる駆動機構（36,56）を構成している。
【００４５】
プレフィルタユニット（30）において、第１浄化ユニット（40）は、第２ローラ（33）の直下に配置されている。また、捕集ユニット（50）において、第２浄化ユニット（60）は、第２ローラ（53）の直下に配置されている。プレフィルタユニット（30）の第１浄化ユニット（40）と捕集ユニット（50）の第２浄化ユニット（60）とは、浄化する対象がプレフィルタ（31）か集塵フィルタ（51）かの点で相違するが、それ以外の点では同様に構成されている。
【００４６】
図３に示すように、第１浄化ユニット（40）と第２浄化ユニット（60）とは、それぞれが掻き取りブラシ（41,61）と収容ケース（42,62）とを備えている。収容ケース（42,62）は、細長い中空の箱状に形成されている。収容ケース（42,62）は、第２ローラ（33,53）に沿う姿勢で、第２ローラ（33,53）の下方に配置されている。掻き取りブラシ（41,61）は、収容ケース（42,62）の内部に収容されている。この掻き取りブラシ（41,61）は、フィルタ（31,51）のうち第２ローラ（33,53）に巻回する部分の外側面と接触するように上向きに配置されており、フィルタ（31,51）から塵埃等を掻き落とすための掻き取り部材を構成している。掻き取りブラシ（41,61）によってフィルタ（31,51）から掻き落とされた塵埃等は、収容ケース（42,62）の内部に溜まる。
【００４７】
第１浄化ユニット（40）と第２浄化ユニット（60）では、それぞれの収容ケース（42,62）に開閉自在のノズル接続部（43,63）が設けられている。このノズル接続部（43,63）は、収容ケース（42,62）の一方の端部寄り（図２における左端寄り）に配置されている。また、ノズル接続部（43,63）は、掃除機の吸引ノズル（68）が接続可能となると共に、吸引ノズル（68）の着脱に連動して開閉するように構成されている。つまり、ノズル接続部（43,63）に吸引ノズル（68）が挿入されると、ノズル接続部（43,63）が開状態となって収容ケース（42,62）の内部空間が吸引ノズル（68）と連通する一方、ノズル接続部（43,63）から吸引ノズル（68）が引き抜かれると、吸引ノズル（68）が閉状態となって収容ケース（42,62）の内部空間が外部から遮断される。
【００４８】
〈凝集ユニット〉
図４に示すように、凝集ユニット（70）は、粒子帯電部（71）と粒子捕捉部（74）とを備えており、凝集部を構成している。
【００４９】
粒子帯電部（71）は、プレフィルタ（31）を通過した被処理空気中に残存する浮遊粒子（100）を帯電させるためのものである。粒子帯電部（71）には、イオン化線（72）と対向電極（73）とが複数ずつ設けられている。対向電極（73）は、それぞれが図１の紙面に垂直方向へ延びる細長い平板状に形成されており、互いに対向する姿勢で上下方向に等間隔に並べられている。イオン下線は、上下に配列された対向電極（73）の間に１本ずつ配置されている。粒子帯電部（71）では、イオン化線（72）と対向電極（73）との間に直流電圧が印加され、イオン化線（72）と対向電極の間を通過する被処理空気中の浮遊粒子（100）が正（＋）に帯電する。
【００５０】
粒子捕捉部（74）は、粒子帯電部（71）で帯電した浮遊粒子（100）を一時的に捕捉して凝集させるためのものである。この粒子捕捉部（74）は、第１電極である集塵電極（75）と、第２電極である対向電極（76）とを備えている。
【００５１】
集塵電極（75）と対向電極（76）は、いずれも図１の紙面に垂直方向へ延びる細長い平板状に形成されている。また、集塵電極（75）と対向電極（76）は、互いにほぼ同じ大きさとなっている。粒子捕捉部（74）では、集塵電極（75）と対向電極（76）とが上下方向に交互に配置されている。また、集塵電極（75）と対向電極（76）とは、互いに向かい合う姿勢で等間隔に配置されている。集塵電極（75）と対向電極（76）の間の空間は、被処理空気を流すための空気流路（77）となっている。この空気流路（77）は、気体流路を構成している。
【００５２】
集塵電極（75）と対向電極（76）の材質は、いずれも微導電性樹脂である。集塵電極（75）と対向電極（76）の材料としては、体積抵抗率が１０８Ω・ｃｍ以上１０１０Ω・ｃｍ未満の微導電性樹脂を用いるのが望ましい。
【００５３】
集塵電極（75）と対向電極（76）の間には、直流電圧が印加されている。具体的に、各集塵電極（75）は電源（79）の負極（−極）に、各対向電極（76）は電源（79）の正極（＋極）にそれぞれ接続されている。粒子帯電部（71）で正（＋）に帯電した浮遊粒子（100）は、電源（79）の負極（−極）に接続された集塵電極（75）に引き寄せられてその表面に付着し、他の浮遊粒子（100）と凝集して凝集粒子（101）を形成する。
【００５４】
集塵電極（75）の表面には、凝集粒子（101）の剥離を促進するための表面処理が施されている。この表面処理としては、フッ素樹脂や撥水剤による被膜を形成することや、表面粗さを極めて小さくする鏡面仕上げを行うこと等が挙げられる。また、この表面処理としては、防汚塗料による塗膜を形成することも挙げられる。この防汚塗料の一例としては、“親水性材料と塗料用疎水性ポリマーと塗料用疎水性ポリマー用の有機溶剤と他の有機溶剤とからなり、他の有機溶剤が塗料用疎水性ポリマー用の有機溶剤の沸点よりも５℃以上高い高沸点有機溶剤であり、さらに該親水性材料／疎水性ポリマーの割合が１／９９〜５０／５０（質量％比）である組成物”が挙げられる。
【００５５】
−運転動作−
空気清浄機（10）の運転動作について説明する。
【００５６】
ファン（25）を運転すると、被処理空気が吸込口（21）を通って空気通路（23）へ取り込まれる（図１を参照）。空気通路（23）へ流入した被処理空気は、最初にプレフィルタユニット（30）のプレフィルタ（31）を通過する。被処理空気に含まれる綿ぼこり等の比較的大きな塵埃は、プレフィルタ（31）に捕集されて被処理空気から除去される。
【００５７】
プレフィルタ（31）を通過した被処理空気は、続いて凝集ユニット（70）へ流入する。凝集ユニット（70）へ流入した被処理空気は、まず粒子帯電部（71）を通過する（図３を参照）。プレフィルタ（31）を通過した被処理空気が粒子帯電部（71）を通過する間には、その被処理空気に残存する浮遊粒子（100）が、正（＋）に帯電する。この粒子帯電部（71）で帯電する浮遊粒子（100）には、例えばタバコの煙などに含まれるような粒径１μｍ以下の極めて微細な粒子も含まれる。
【００５８】
粒子帯電部（71）を通過した被処理空気は、続いて粒子捕捉部（74）へ流入する。粒子捕捉部（74）へ流入した被処理空気は、集塵電極（75）と対向電極（76）の間の空間である空気流路（77）を流れる。上述したように集塵電極（75）と対向電極（76）の間には直流電圧が印加されているため、この空気流路（77）には電界が形成されている。被処理空気中の正（＋）に帯電した浮遊粒子（100）は、集塵電極（75）に引き寄せられてその表面に付着する。
【００５９】
集塵電極（75）の表面では、付着した浮遊粒子（100）同士が互いに凝集し、粒径の大きな凝集粒子（101）が形成される。集塵電極（75）の表面上で形成された凝集粒子（101）は、ある程度の大きさになると集塵電極（75）から剥がれて飛散してゆく。この点について、図５を参照しながら説明する。
【００６０】
上述したように、集塵電極（75）の表面には、粒子帯電部（71）で正（＋）に帯電した浮遊粒子（100）が電気的な引力（即ち、クーロン力）によって引き寄せられて付着する。図５(ａ)に示すように、集塵電極（75）に浮遊粒子（100）が付着すると、平らな集塵電極（75）の表面から浮遊粒子（100）が突出した状態となり、付着した浮遊粒子（100）の近傍に電界が僅かに集中する。このため、後から飛んできた浮遊粒子（100）は、最初に集塵電極（75）に付着した浮遊粒子（100）に付着する確率が高くなる。
【００６１】
その結果、集塵電極（75）の表面上では、図５(ｂ)や図５(ｃ)に示すように、最初に付着した浮遊粒子（100）の近傍に後から飛来した浮遊粒子（100）が集中的に付着し、浮遊粒子（100）同士が互いに凝集することで形成された凝集粒子（101）が次第に成長してゆく。それぞれの浮遊粒子（100）は非常に微細なものなので、それらは互いにファンデルワールス力（分子間力）によって強固に合体している。そして、ある程度の粒径（例えば１０μｍ〜１００μｍ程度）にまで成長した凝集粒子（101）は、図５(ｄ)に示すように、空気流路（77）を流れる被処理空気から力を受けて集塵電極（75）から引き剥がされ、被処理空気と共に下流側へ飛散してゆく。
【００６２】
凝集ユニット（70）を通過した被処理空気は、凝集粒子（101）を含んだ状態で捕集ユニット（50）の集塵フィルタ（51）を通過する。集塵フィルタ（51）では、被処理空気中の凝集粒子（101）が捕捉される。集塵フィルタ（51）で凝集粒子（101）を除去された被処理空気は、ファン（25）に吸い込まれ、その後に吹出口（22）からケーシング（20）の外部へ吹き出される。
【００６３】
プレフィルタユニット（30）ではプレフィルタ（31）の洗浄動作が、捕集ユニット（50）では集塵フィルタ（51）の洗浄動作がそれぞれ行われる。これらの洗浄動作は、例えば空気清浄機（10）の運転時間が所定の基準値に達する毎に行われる。なお、プレフィルタユニット（30）の洗浄動作と、捕集ユニット（50）の洗浄動作とは、同じタイミングで行われる必要は無く、異なるタイミングで個別に行われてもよい。また、例えば空気清浄機（10）の運転時間に応じて洗浄動作を行う場合には、プレフィルタユニット（30）の洗浄動作と捕集ユニット（50）の洗浄動作とのそれぞれについて、運転時間の基準値を個別に設定してもよい。
【００６４】
プレフィルタユニット（30）の洗浄動作では、モータ（34）によって第２ローラ（33）が駆動され、プレフィルタ（31）が移動する。移動中のプレフィルタ（31）は、その外側面が第１浄化ユニット（40）の掻き取りブラシ（41）と擦りあわされる。そして、プレフィルタ（31）に捕集された比較的大きな塵埃は、掻き取りブラシ（41）によってプレフィルタ（31）から掻き落とされて収容ケース（42）内に溜まってゆく。
【００６５】
一方、捕集ユニット（50）の洗浄動作では、モータ（54）によって第２ローラ（53）が駆動され、集塵フィルタ（51）が移動する。移動中の集塵フィルタ（51）は、その外側面が第２浄化ユニット（60）の掻き取りブラシ（61）と擦りあわされる。そして、集塵フィルタ（51）に捕集された凝集粒子（101）は、掻き取りブラシ（61）によって集塵フィルタ（51）から掻き落とされて収容ケース（62）内に溜まってゆく。
【００６６】
これら浄化ユニット（40,60）において、収容ケース（42,62）のノズル接続部（43,63）に掃除機の吸引ノズル（68）を挿入すると、ノズル接続部（43,63）を介して収容ケース（42,62）の内部空間が掃除機の吸引ノズル（68）と連通する。その状態で掃除機を運転すると、収容ケース（42,62）内に溜まった塵埃や凝集粒子（101）が収容ケース（42,62）から掃除機へと吸い出される。
【００６７】
−実施形態１の効果−
本実施形態の空気清浄機（10）では、凝集ユニット（70）で複数の浮遊粒子（100）を凝集させることによって凝集粒子（101）を形成し、凝集ユニット（70）で形成された凝集粒子（101）を捕集ユニット（50）の集塵フィルタ（51）で捕集している。本実施形態の空気清浄機（10）において、例えば粒径１μｍ以下の微細な浮遊粒子（100）は、複数の浮遊粒子（100）からなる比較的粒径の大きな凝集粒子（101）の一部となって集塵フィルタ（51）に捕集される。つまり、この空気清浄機（10）では、例えばＨＥＰＡ等の高性能フィルターに比べて目の粗い集塵フィルタ（51）を用いて、被処理空気から粒径１μｍ以下の微細な浮遊粒子（100）を除去することができる。従って、本実施形態によれば、被処理空気から微細な浮遊粒子（100）を除去可能で、しかも被処理空気の圧力損失が低い空気清浄機（10）を実現できる。その結果、ファン（25）での消費電力を削減できると共に、送風音等の騒音を低減することができる。
【００６８】
また、本実施形態の空気清浄機（10）では、凝集ユニット（70）に粒子帯電部（71）と粒子捕捉部（74）とを設け、粒子帯電部（71）で帯電した浮遊粒子（100）を電気的な引力によって粒子捕捉部（74）の集塵電極（75）に捕捉している。このため、粒子捕捉部（74）では、そこを通過する際の被処理空気の圧力損失を低く抑えながら、微細な浮遊粒子（100）を確実に捕捉することができる。従って、本実施形態によれば、被処理空気の圧力損失を低く抑えながら空気清浄機（10）の性能向上を図ることができる。
【００６９】
また、本実施形態の空気清浄機（10）では、凝集粒子（101）の剥離を促進するための表面処理を集塵電極（75）の表面に施しているため、集塵電極（75）から凝集粒子（101）が剥がれやすくなる。従って、本実施形態によれば、集塵電極（75）に残留する凝集粒子（101）の量を低減することができ、粒子捕捉部（74）の性能を確実に維持することができる。
【００７０】
また、本実施形態の空気清浄機（10）では、第１浄化ユニット（60）によって集塵フィルタ（51）から凝集粒子（101）を除去するようにしている。ここで、凝集ユニット（70）は、一旦捕捉した浮遊粒子（100）を凝集させてから凝集粒子（101）として再び被処理空気中へ飛散させている。このため、凝集ユニット（70）の集塵電極（75）に浮遊粒子（100）や凝集粒子（101）が蓄積され続けることはない。一方、凝集ユニット（70）から飛散した凝集粒子（101）は集塵フィルタ（51）に捕集されるが、この凝集粒子（101）は第２浄化ユニット（60）によって集塵フィルタ（51）から除去されるため、集塵フィルタ（51）に凝集粒子（101）が蓄積され続けることもない。従って、本実施形態によれば、ユーザーによる凝集ユニット（70）や集塵フィルタ（51）の洗浄作業が不要となり、空気清浄機（10）の保守作業に要する労力を削減できる。
【００７１】
また、本実施形態の空気清浄機（10）では、収容ケース（42,62）のノズル接続部（43,63）に掃除機の吸引ノズル（68）を接続するだけで、収容ケース（42,62）から凝集粒子（101）を排出することができる。従って、本実施形態によれば、収容ケース（42,62）に溜まった塵埃や凝集粒子（101）を破棄する作業が容易となり、空気清浄機（10）の保守作業に要する労力を削減できる。
【００７２】
上述したように、本実施形態の凝集ユニット（70）は、粒子帯電部（71）と粒子捕捉部（74）とを備えており、一般的な電気集塵機と同様の構造となっている。ところが、本実施形態の粒子捕捉部（74）では、集塵電極（75）の表面上で浮遊粒子（100）が凝集して凝集粒子（101）となり、ある程度の大きさになった凝集粒子（101）は集塵電極（75）から剥がれて飛散してゆく。つまり、この粒子捕捉部（74）では、一般的な電気集塵機のように集塵電極（75）上に浮遊粒子（100）を保持し続ける必要が無く、一時的に浮遊粒子（100）を保持できれば充分である。このため、本実施形態の粒子捕捉部（74）で用いられる集塵電極（75）の大きさは、一般的な電気集塵機で用いられるものに比べて大幅に小さくなる。従って、本実施形態によれば、空気清浄機（10）の大きさを、同等の性能をもつ電気集塵機に比べて小さくすることができる。
【００７３】
−実施形態１の変形例１−
本実施形態の凝集ユニット（70）では、図６に示すように、集塵電極（75）の表面に微細な突起（78）を多数形成してもよい。この突起（78）は、集塵電極（75）の長手方向（図６の紙面に対して垂直方向）へ延びる細長い畝状ものであってもよいし、柱状あるいは直方体状のものであってもよい。
【００７４】
集塵電極（75）の表面に突起（78）を形成すると、その突起（78）の付近に電界が集中し、その突起（78）に対して浮遊粒子（100）が集中的に付着する。そのため、集塵電極（75）の表面に平均的に浮遊粒子（100）が付着する場合に比べ、被処理空気の流れによって集塵電極（75）から引き剥がされる程度の大きさの凝集粒子（101）を確実に短時間で形成することができ、集塵装置における浮遊粒子（100）の捕集効率を向上させることができる。
【００７５】
−実施形態１の変形例２−
本実施形態の凝集ユニット（70）では、集塵電極（75）と対向電極（76）の間隔を被処理空気の下流側へ向かって次第に狭め、被処理空気の下流側ほど空気流路（77）の断面積が小さくなるようにしてもよい。
【００７６】
本変形例では、図７に示すように、集塵電極（75）の断面形状を長方形状から台形状に変更している。具体的に、集塵電極（75）の断面形状は、被処理空気の上流側に上底が、その下流側に下底がそれぞれ位置する等脚台形となっている。集塵電極（75）と対向電極（76）との間隔は、被処理空気の上流端ではｄであるのに対し、被処理空気の下流端ではｄ'(ｄ'＜ｄ)にまで縮まる。その結果、集塵電極（75）と対向電極（76）との間に形成される空気流路（77）の断面積は、被処理空気の上流側から下流側へ向かって次第に縮小してゆく。
【００７７】
凝集ユニット（70）の粒子捕捉部（74）において、空気流路（77）の断面積が被処理空気の下流側へ向かって次第に狭まっていると、空気流路（77）を流れる被処理空気の流速は、下流側へ進むにつれて次第に上昇してゆく。このため、集塵電極（75）上の凝集粒子（101）が被処理空気から受ける力は被処理空気の下流側ほど大きくなり、集塵電極（75）から凝集粒子（101）が剥がれやすくなる。従って、本変形例によれば、粒子捕捉部（74）で形成された凝集粒子（101）を凝集電極から確実に引き剥がして集塵フィルタ（51）で捕集することができ、空気清浄機（10）における浮遊粒子（100）の捕集効率を向上させることができる。
【００７８】
なお、本変形例の凝集ユニット（70）では、集塵電極（75）の形状を変更することによって空気流路（77）の断面積を変化させているが、その断面積を変化させる手段はこれに限定されるものではない。例えば、対向電極（76）の形状を変更したり、集塵電極（75）と対向電極（76）の両方の形状を変更したり、集塵電極（75）や対向電極（76）の形状は変更せずにそれらの配置を変更することによって、空気流路（77）の断面積を変化させてもよい。
【００７９】
《発明の実施形態２》
本発明の実施形態２について説明する。本実施形態の空気清浄機（10）は、上記実施形態１に遮蔽機構である遮蔽ユニット（80）を追加したものである。ここでは、本実施形態の空気清浄機（10）について、上記実施形態１と異なる点を説明する。
【００８０】
図８に示すように、遮蔽ユニット（80）は、凝集ユニット（70）に設けられている。この遮蔽ユニット（80）は、遮蔽用シート（81）と、遮蔽用シート（81）を巻き取るための一対のローラ（84,85）とを備えている。
【００８１】
一対のローラ（84,85）は、それぞれが図８の紙面に垂直な方向へ延びる細長い丸棒状に形成されている。この一対のローラ（84,85）は、その一方が粒子捕捉部（74）の前面側の上部に、他方が粒子捕捉部（74）の前面側の下部にそれぞれ配置されている。また、各ローラ（84,85）には、図示しないが、ローラ（84,85）を回転させるためのモータが取り付けられている。
【００８２】
遮蔽用シート（81）は、柔軟なシート状に形成されている。遮蔽用シート（81）は、空気の通過を許容する網目状の通気部（82）と、空気の通過を遮断する遮蔽部（83）とを備えている。また、遮蔽用シート（81）には、通気部（82）だけが形成された部分と、通気部（82）と遮蔽部（83）が交互に形成された部分とが設けられている。また、遮蔽用シート（81）のうち通気部（82）と遮蔽部（83）が交互に形成された部分では、通気部（82）の上下幅が集塵電極（75）の厚みよりも幾分広くなるように設定されると共に、通気部（82）の間隔が集塵電極（75）の間隔とほぼ同じ値に設定されている。
【００８３】
遮蔽用シート（81）は、その上端部分が第１ローラ（84）に固定され、その下端部分が第２ローラ（85）に固定されている。そして、遮蔽用シート（81）は、第１ローラ（84）から第２ローラ（85）に亘って張り渡され、粒子捕捉部（74）を構成する集塵電極（75）及び対向電極（76）の前面側を覆うように設けられる。
【００８４】
遮蔽ユニット（80）は、ローラ（84,85）を回転させて遮蔽用シート（81）を移動させることによって、遮蔽用シート（81）のうち通気部（82）だけが形成された部分が粒子捕捉部（74）の前面を覆う第１状態（図８(Ａ)に示す状態）と、遮蔽用シート（81）のうち通気部（82）と遮蔽部（83）が交互に形成された部分が粒子捕捉部（74）の前面を覆う第２状態（図８(Ｂ)に示す状態）とに切り換わる。
【００８５】
−運転動作−
本実施形態の空気清浄機（10）は、凝集動作と飛散動作とを交互に行う。この空気清浄機（10）は、通常は凝集動作を行い、例えば凝集動作の継続時間が所定値に達する毎に飛散動作を一時的に行う。
【００８６】
凝集動作は、凝集ユニット（70）の粒子捕捉部（74）で凝集粒子（101）を形成するための動作である。凝集動作中には、遮蔽ユニット（80）が第１状態（図８(Ａ)に示す状態）に設定され、遮蔽用シート（81）のうち通気部（82）だけが形成された部分によって粒子捕捉部（74）の前面が覆われる。
【００８７】
この状態において、粒子帯電部（71）を通過した被処理空気は、粒子捕捉部（74）の前面に全体に亘って平均的に流入する。従って、粒子捕捉部（74）の空気流路（77）における被処理空気の流速は、空気流路（77）の断面内において概ね一定となる。粒子捕捉部（74）では、被処理空気中の帯電した浮遊粒子（100）が集塵電極（75）に引き寄せられて付着し、集塵電極（75）の表面上で凝集粒子（101）が成長してゆく。
【００８８】
飛散動作は、凝集粒子（101）を集塵電極（75）から引き剥がして被処理空気中へ再び飛散させるための動作である。飛散動作中には、遮蔽ユニット（80）が第２状態（図８(Ｂ)に示す状態）に設定され、遮蔽用シート（81）のうち通気部（82）と遮蔽部（83）が交互に形成された部分によって粒子捕捉部（74）の前面が覆われる。その際、遮蔽用シート（81）の位置は、通気部（82）が集塵電極（75）の前端面と対向するように設定される。
【００８９】
この状態の粒子捕捉部（74）では、空気流路（77）の大部分と対向電極（76）とが遮蔽用シート（81）の遮蔽部（83）によって覆われた状態となり、遮蔽用シート（81）の通気部（82）を通った被処理空気が集塵電極（75）の表面付近を集中的に流れる。粒子捕捉部（74）では、集塵電極（75）の表面付近における被処理空気の流速が凝集動作中に比べて上昇する。そのため飛散動作中には、集塵電極（75）上の凝集粒子（101）が被処理空気の流れから受ける力が大きくなり、凝集粒子（101）が集塵電極（75）から引き剥がされやすくなる。集塵電極（75）から引き剥がされた凝集粒子（101）は、捕集ユニット（50）の集塵フィルタ（51）に捕捉される。
【００９０】
このように、本実施形態の遮蔽ユニット（80）を第２状態に設定すると、粒子捕捉部（74）では集塵電極（75）の近傍における被処理空気の流速が局所的に上昇する。つまり、この遮蔽ユニット（80）は、集塵電極（75）の近傍における被処理空気の流速を凝集動作中に比べて増大させるための増速手段を構成している。
【００９１】
−実施形態２の効果−
本実施形態の空気清浄機（10）では、凝集ユニット（70）の粒子捕捉部（74）へ流入する被処理空気の流れを遮蔽用シート（81）によって部分的に遮ることで、集塵電極（75）の表面付近における被処理空気の流速を高めている。このため、凝集ユニット（70）を通過する被処理空気の流量は変化させずに集塵電極（75）の近傍における被処理空気の流速を高めることができ、それによって集塵電極（75）からの凝集粒子（101）の再飛散を促進させることができる。従って、本実施形態によれば、被処理空気の流量増大に起因して生じる騒音等の問題を回避した上で、凝集ユニット（70）の集塵電極（75）に滞留する凝集粒子（101）の量を削減することによって空気清浄機（10）の性能を高く保つことができる。
【００９２】
−実施形態２の変形例１−
本実施形態の空気清浄機（10）では、粒子捕捉部（74）の集塵電極（75）及び対向電極（76）を可動とすることによって、粒子捕捉部（74）の空気通路（23）における被処理空気の流速を変化させるようにしてもよい。
【００９３】
図９に示すように、本変形例の粒子捕捉部（74）は、各集塵電極（75）と各対向電極（76）とがそれぞれの前端部を軸として回動できるように構成されている。具体的に、集塵電極（75）と対向電極（76）は、概ね水平となる姿勢（図９に二点鎖線で示す姿勢）と、被処理空気の流れの下流側へ向かって傾斜した姿勢（同図に実線で示す姿勢）との間を回動する。
【００９４】
本変形例において、凝集動作中の粒子捕捉部（74）では、集塵電極（75）と対向電極（76）が概ね水平となる姿勢（図９に二点鎖線で示す姿勢）に設定される。この状態における集塵電極（75）と対向電極（76）の間隔を「ｄ」とする。一方、飛散動作中の粒子捕捉部（74）では、集塵電極（75）と対向電極（76）が傾斜した姿勢（同図に実線で示す姿勢）に設定される。この状態において、集塵電極（75）と対向電極（76）の間隔は、「ｄ」よりも短い「ｄ''」となる。つまり、集塵電極（75）と対向電極（76）の間に形成された空気流路（77）の断面積は、凝集動作中に比べて飛散動作中の方が小さくなる。このため、飛散動作中には、空気流路（77）における被処理空気の流速が凝集動作中に比べて上昇し、集塵電極（75）から凝集粒子（101）が引き剥がされやすくなる。
【００９５】
−実施形態２の変形例２−
本実施形態の空気清浄機（10）では、被処理空気の流量を変更することによって凝集動作と飛散動作を切り換えるようにしてもよい。具体的に、本変形例の飛散動作では、空気通路（23）における被処理空気の流量が凝集動作中に比べて増大する。被処理空気の流量調節は、ファン（25）の回転速度を調節することによって行われる。被処理空気の流量が増えると、それに伴って粒子凝集部の空気流路（77）における被処理空気の流速も上昇する。このため、集塵電極（75）状の凝集粒子（101）が被処理空気から受ける力が増大し、凝集粒子（101）が集塵電極（75）から引き剥がされやすくなる。
【００９６】
−実施形態２の変形例３−
本実施形態の空気清浄機（10）では、凝集ユニット（70）を振動させる動作を飛散動作として行ってもよい。
【００９７】
図１０に示すように、本変形例の空気清浄機（10）には、加振機構である加振ユニット（90）が設けられている。加振ユニット（90）は、加振用モータ（91）と加振用円板（92）とを備えている。加振用円板（92）は、加振用モータ（91）の出力軸に対して偏心した状態で取り付けられている。
【００９８】
加振ユニット（90）は、加振用円板（92）の外周面が凝集ユニット（70）と接触する位置に設置されている。加振ユニット（90）において、飛散動作中には加振用モータ（91）への通電が行われ、凝集動作中には加振用モータ（91）への通電が停止される。加振用モータ（91）に通電すると、その出力軸に取り付けられた加振用円板（92）が回転し、凝集ユニット（70）が上下方向に揺さぶられる。その結果、粒子捕捉部（74）の集塵電極（75）も振動することとなり、凝集粒子（101）が集塵電極（75）から剥離しやすくなる。
【００９９】
−実施形態２の変形例４−
本実施形態の空気清浄機（10）では、凝集ユニット（70）における集塵電極（75）及び対向電極（76）と電源（79）との接続状態を切り換える動作を、飛散動作として行ってもよい。
【０１００】
本変形例において、凝集動作中の粒子捕捉部（74）では、図１１(ａ)に示すように、対向電極（76）が電源（79）の正極（＋極）に接続され、集塵電極（75）が電源（79）の負極（−極）に接続される。この状態では、粒子帯電部（71）で正（＋）に帯電した浮遊粒子（100）が集塵電極（75）に引き寄せられて付着し、集塵電極（75）に付着した浮遊粒子（100）同士が互いに凝集して凝集粒子（101）が形成されてゆく。
【０１０１】
浮遊粒子（100）が集塵電極（75）に付着すると、それまで浮遊粒子（100）が持っていた電荷が集塵電極（75）へ逃げるため、浮遊粒子（100）の電位は集塵電極（75）の電位（この場合は０(ゼロ)ボルト）と等しくなる。ところが、浮遊粒子（100）自体の導電率はさほど高くないことが多いため、集塵電極（75）に付着した浮遊粒子（100）に対して更に付着する浮遊粒子（100）の電荷は、直ぐには集塵電極（75）へ逃げない。そのため、凝集粒子（101）がある程度以上の大きさになると、その凝集粒子（101）には正（＋）の電荷が残った状態となる。
【０１０２】
一方、飛散動作中の粒子捕捉部（74）では、図１１(ｂ)に示すように、集塵電極（75）が電源（79）の正極（＋極）に接続され、対向電極（76）が電源（79）の負極（−極）に接続される。上述したように、集塵電極（75）上の凝集粒子（101）は、正（＋）に帯電した状態となっている。このため、集塵電極（75）を電源（79）の正極（＋極）に接続すると、その表面上の正（＋）に帯電した凝集粒子（101）は、電気的な反発力によって集塵電極（75）から引き離されて被処理空気中へ飛散してゆく。
【０１０３】
なお、本変形例において集塵電極（75）及び対向電極（76）と電源（79）との接続状態を切り換える動作は、機械的あるいは電気的なスイッチを用いて行ってもよいし、集塵電極（75）及び対向電極（76）に対して一時的に交流電圧を印加することによって行ってもよい。
【０１０４】
−実施形態２の変形例５−
本実施形態の空気清浄機（10）では、凝集ユニット（70）の集塵電極（75）と対向電極（76）との間でスパークを発生させる動作を、飛散動作として行ってもよい。集塵電極（75）と対向電極（76）との間で強制的にスパークを発生させると、電気的あるいは物理的な衝撃力が集塵電極（75）上の凝集粒子（101）に作用する。凝集粒子（101）は、衝撃力を受けて集塵電極（75）から引き剥がされ、被処理空気中へと飛散してゆく。
【０１０５】
《発明の実施形態３》
本発明の実施形態３について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１０６】
図１２に示すように、本実施形態の空気清浄機（10）では、プレフィルタユニット（30）のプレフィルタ（31）や捕集ユニット（50）の集塵フィルタ（51）が、上記実施形態１のような無端状ではなく、端部を有する１枚のシート状に形成されている。
【０１０７】
プレフィルタユニット（30）と捕集ユニット（50）のそれぞれでは、フィルタ（31,51）の一端が第１ローラ（32,52）に固定され、フィルタ（31,51）の他端が第２ローラ（33,53）に固定される。また、プレフィルタユニット（30）と捕集ユニット（50）のそれぞれでは、第１ローラ（32,52）と第２ローラ（33,53）の何れもが図外のモータによって駆動される。第１ローラ（32,52）を回転させてフィルタ（31,51）を第１ローラ（32,52）へ巻き取ってゆくと、フィルタ（31,51）が上方へ移動する。一方、第２ローラ（33,53）を回転させてフィルタ（31,51）を第２ローラ（33,53）へ巻き取ってゆくと、フィルタ（31,51）が下方へ移動する。
【０１０８】
プレフィルタユニット（30）でプレフィルタ（31）を移動させると、プレフィルタ（31）に付着した塵埃などが第１浄化ユニット（40）の掻き取りブラシ（41）によって掻き落とされる。また、捕集ユニット（50）で集塵フィルタ（51）を移動させると、集塵フィルタ（51）に付着した凝集粒子（101）が第２浄化ユニット（60）の掻き取りブラシ（61）によって掻き落とされる。
【０１０９】
《発明の実施形態４》
本発明の実施形態４について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１１０】
図１３に示すように、本実施形態の空気清浄機（10）では、１つのフィルタシート（58）がプレフィルタ（31）と集塵フィルタ（51）の両方を兼ねている。フィルタシート（58）は、柔軟な無端のループ状に形成されている。このフィルタシート（58）は、プレフィルタユニット（30）の第１ローラ（32）及び第２ローラ（33）と、捕集ユニット（50）の第１ローラ（52）及び第２ローラ（53）とに掛け渡されている。フィルタシート（58）は、凝集ユニット（70）の上流側に位置する部分（即ち、プレフィルタユニット（30）の第１ローラ（32）から第２ローラ（33）に亘る部分）がプレフィルタ（31）として機能し、凝集ユニット（70）の下流側に位置する部分（即ち、捕集ユニット（50）の第１ローラ（52）から第２ローラ（53）に亘る部分）が集塵フィルタ（51）として機能する。
【０１１１】
また、本実施形態の空気清浄機（10）では、第１浄化ユニット（40）と第２浄化ユニット（60）の配置が上記実施形態１と異なっている。第１浄化ユニット（40）は、凝集ユニット（70）の下方の位置にフィルタシート（58）の外周面に沿って配置されている。第１浄化ユニット（40）の掻き取りブラシ（41）は、フィルタシート（58）の外周面と接触する。第２浄化ユニット（60）は、凝集ユニット（70）の上方の位置にフィルタシート（58）の内周面に沿って配置されている。第２浄化ユニット（60）の掻き取りブラシ（61）は、フィルタシート（58）の内周面と接触する。
【０１１２】
また、本実施形態の空気清浄機（10）では、４本のローラ（32,33,52,53）のうちの何れか１つだけがモータによって回転駆動される。何れかのローラ（32,33,52,53）を回転させると、フィルタシート（58）がローラ（32,33,52,53）によって案内されながら移動する。
【０１１３】
空気通路（23）における凝集ユニット（70）の上流側では、フィルタシート（58）の外側面に被処理空気中の塵埃等が捕捉される。フィルタシート（58）の外側面に付着した塵埃等は、第１浄化ユニット（40）の掻き取りブラシ（41）によって掻き落とされる。一方、空気通路（23）における凝集ユニット（70）の下流側では、フィルタシート（58）の内側面に被処理空気中の凝集粒子（101）が捕捉される。フィルタシート（58）の内側面に付着した凝集粒子（101）は、第２浄化ユニット（60）の掻き取りブラシ（61）によって掻き落とされる。
【０１１４】
《発明の実施形態５》
本発明の実施形態５について説明する。本実施形態の空気清浄機（10）は、上記実施形態１において、プレフィルタユニット（30）と捕集ユニット（50）の構成を変更したものである。ここでは、本実施形態の空気清浄機（10）について、上記実施形態１と異なる点を説明する。
【０１１５】
図１４に示すように、本実施形態のプレフィルタユニット（30）及び捕集ユニット（50）では、モータ（34,54）に代えて動力発生機構（35,55）が設けられている。この動力発生機構（35,55）は、ノズル接続部（43,63）に掃除機の吸引ノズル（68）を接続した際に、その掃除機の吸引力によって回転動力を発生させるように構成されている。
【０１１６】
プレフィルタユニット（30）の動力発生機構（35）と捕集ユニット（50）の動力発生機構（55）とは、何れも同様の構造となっている。具体的に、動力発生機構（35,55）は、市販の掃除機の吸込具のタービンブラシと同様に、１つ又は複数の螺旋状の羽根を備えた円筒状の羽根車から構成されている。この羽根車は、掃除機の吸引力で回転できるように、その材質が合成樹脂等の比重の軽い材料となっている。そして、プレフィルタユニット（30）の動力発生機構（35）は、歯車等を介してプレフィルタユニット（30）の第２ローラ（33）に連結されている。また、捕集ユニット（50）の動力発生機構（55）は、歯車等を介して捕集ユニット（50）の第２ローラ（53）に連結されている。
【０１１７】
浄化ユニット（40,60）に掃除機の吸引ノズル（68）が接続されると、動力発生機構（35,55）が掃除機の吸引力を利用して発生させた回転動力によって第２ローラ（33,53）を駆動する。第２ローラ（33,53）が回転してフィルタ（31,51）が移動すると、フィルタ（31,51）に付着した塵埃や凝集粒子（101）が掻き取りブラシ（41,61）によって掻き落とされる。フィルタ（31,51）から掻き取られた塵埃や凝集粒子（101）は、ノズル接続部（43,63）に接続された掃除機の吸引ノズル（68）へ吸い込まれる。
【０１１８】
−実施形態５の効果−
本実施形態の第１浄化ユニット（40）及び第２浄化ユニット（60）では、掃除機の吸引力を利用して動力発生機構（35,55）が発生させた駆動力によってフィルタ（31,51）を移動させている。このため、集塵フィルタ（51）を移動させるためのモータ等の動力源が不要となり、空気清浄機（10）の構成を簡素化できると共に、空気清浄機（10）の消費電力を削減できる。
【０１１９】
−実施形態５の変形例−
本実施形態の空気清浄機（10）では、図１５に示すように、第１浄化ユニット（40）と第２浄化ユニット（60）のそれぞれに搬送部材（37,57）を追加してもよい。この搬送部材（37,57）は、螺旋状の突条を有する細長い丸棒状に形成されており、掻き取りブラシ（41,61）に沿って配置されている。また、搬送部材（37,57）は、動力発生機構（35,55）で得られた動力によって回転駆動される。搬送部材（37,57）が回転すると、掻き取りブラシ（41,61）によってフィルタ（31,51）から掻き落とされた塵埃や凝集粒子（101）が、搬送部材（37,57）によってノズル接続部（43,63）の近傍へ搬送される。ノズル接続部（43,63）の近傍へ運ばれた塵埃や凝集粒子（101）は、ノズル接続部（43,63）へ挿入された掃除機の吸引ノズル（68）へと吸い出される。
【０１２０】
本変形例の第１浄化ユニット（40）及び第２浄化ユニット（60）では、搬送部材（37,57）によって塵埃や凝集粒子（101）をノズル接続部（43,63）の付近へ集めている。従って、フィルタ（31,51）から除去された塵埃や凝集粒子（101）を、ノズル接続部（43,63）に接続された掃除機によって確実に吸い出すことができる。また、本変形例の搬送部材（37,57）は、動力発生機構（35,55）が掃除機の吸引力を利用して発生させた動力を用いて、塵埃や凝集粒子（101）を搬送している。従って、本変形例によれば、搬送部材（37,57）を駆動するためのモータ等の動力源が不要となり、空気清浄機（10）の複雑化や、空気清浄機（10）の消費電力の増大を回避できる。
【０１２１】
《その他の実施形態と参考技術》
−第１変形例−
上記各実施形態の凝集ユニット（70）では、粒子捕捉部（74）の集塵電極（75）と対向電極（76）とを共に平板状に形成しているが、これら集塵電極（75）及び対向電極（76）の形状は、平板状に限定されるものではない。例えば、図１６に示すように、集塵電極（75）を格子状に形成し、その集塵電極（75）に形成された各区画に棒状の対向電極（76）を１本ずつ配置してもよい。この場合、対向電極（76）が挿入された集塵電極（75）の各区画が空気流路（77）を構成する。この空気流路（77）を流れる被処理空気中の浮遊粒子（100）は、空気流路（77）の周囲を囲む集塵電極（75）の表面に付着する。
【０１２２】
−第２変形例−
上記各実施形態の浄化ユニット（40,60）には、フィルタ（31,51）から塵埃や凝集粒子（101）を掻き落とすための部材として掻き取りブラシ（41,61）が設けられているが、フィルタ（31,51）から凝集粒子（101）などを除去するための部材は掻き取りブラシ（41,61）に限定されるものではない。
【０１２３】
例えば、図１７に示すような丸棒状の回転ブラシ（65）を浄化ユニット（40,60）に設け、フィルタ（31,51）を移動させると同時に回転ブラシ（65）を回転させることによって、フィルタ（31,51）から塵埃や凝集粒子（101）を掻き落としてもよい。また、図１８に示すような掻き取りパッド（66）を設け、この掻き取りパッド（66）をフィルタ（31,51）に接触させることによって、フィルタ（31,51）から塵埃や凝集粒子（101）を掻き落としてもよい。
【０１２４】
−第３変形例−
上記各実施形態の浄化ユニット（40,60）では、掻き取りブラシ（41,61）を省略し、ノズル接続部（43,63）に接続された掃除機の吸引力だけを利用して、フィルタ（31,51）から塵埃や凝集粒子（101）を除去するようにしてもよい。
【０１２５】
図１９に示すように、本変形例の浄化ユニット（40,60）では、収容ケース（42,62）の上部に吸引部（67）が形成される。この吸引部（67）は、先細のノズル状に形成されており、その先端の開口部が第２ローラ（33,53）に沿ったフィルタ（31,51）の近傍に配置されている。収容ケース（42,62）のノズル接続部（43,63）に掃除機の吸引ノズル（68）を接続すると、吸引部（67）の開口端から収容ケース（42,62）の内部へ空気が吸い込まれ、その際に生じた気流によって塵埃や凝集粒子（101）がフィルタ（31,51）から引き剥がされる。
【０１２６】
−参考技術１−
上記各実施形態の浄化ユニット（40,60）では、図２０に示すように、収容ケース（42,62）が着脱自在になっていてもよい。本変形例の収容ケース（42,62）は、保持容器を構成している。本変形例では、収容ケース（42,62）を着脱自在とするのに伴って、収容ケース（42,62）からノズル接続部（43,63）を省略している。本参考技術においても、フィルタ（31,51）から掻き落とされた塵埃や凝集粒子（101）は、収容ケース（42,62）内に溜まる。空気清浄機（10）のユーザーは、例えば１週間毎あるいは１ヶ月毎に収容ケース（42,62）を取り外し、収容ケース（42,62）内に溜まった塵埃や凝集粒子（101）を廃棄する。
【０１２７】
−第４変形例−
上記各実施形態のプレフィルタユニット（30）及び捕集ユニット（50）では、図２１に示すように、フィルタ（31,51）を上下に往復動させるようにしてもよい。この場合、駆動機構（36,56）は、フィルタ（31,51）を直線的に往復動させるように構成される。図示しないが、本変形例の駆動機構（36,56）は、フィルタ（31,51）の側端部に設けられたラックと、このラックと係合するピニオンが駆動軸に取り付けられたモータとで構成され、ピニオンを回転させることでフィルタ（31,51）を直線的に移動させる。
【０１２８】
本変形例において、第１浄化ユニット（40）はプレフィルタ（31）の前面側の下端部に、第２浄化ユニット（60）は集塵フィルタ（51）の前面側の下端部に配置される。
これら浄化ユニット（40,60）では、掻き取りブラシ（41,61）がフィルタ（31,51）の前面と向かい合うように設置される。
【０１２９】
−参考技術２−
上記各実施形態の捕集ユニット（50）では、集塵フィルタ（51）を用いて凝集粒子（101）を捕集するようにしているが、この捕集ユニット（50）は集塵フィルタ（51）を用いるものに限定されない。
【０１３０】
例えば、図２２に示すように、捕集ユニット（50）は、サイクロン（95）を用いて被処理空気と凝集粒子（101）を分離するように構成されていてもよい。サイクロン（95）では、凝集粒子（101）を含んだ被処理空気が旋回し、遠心力によって凝集粒子（101）が外周壁の近傍へ集められる。凝集粒子（101）を除去された被処理空気は、サイクロン（95）の中央付近から外部へ排出される。
【０１３１】
また、図２３に示すように、捕集ユニット（50）は、重力を利用して被処理空気から凝集粒子（101）を分離するように構成されていてもよい。この場合、捕集ユニット（50）は、凝集ユニット（70）の下流側に設置されたダクト（96）によって構成される。このダクト（96）は、捕集ユニット（50）から所定距離だけ下流側へ進んだ位置で、その断面積が急激に狭まる形状となっている。具体的には、ダクト（96）の底面が階段状に一段高くなることによって、その断面積が狭められている。凝集ユニット（70）から被処理空気と共に流出した凝集粒子（101）は、ダクト（96）のうち断面積の広い部分を流れる間に、重力の作用によってダクト（96）の下方へ集まってくる。ダクト（96）の下方へ集まった凝集粒子（101）は、階段状になったダクト（96）の底面に当たってダクト（96）内に留まる。一方、ダクト（96）内の上部では、被処理空気に含まれる凝集粒子（101）が減少する。そして、被処理空気は、ダクト（96）のうち断面積の狭い部分へ流入して外部へ排出される。ダクト（96）内に溜まった凝集粒子（101）は、段差部に形成された開閉扉（97）を開くことによってダクト（96）から取り出される。
【０１３２】
また、捕集ユニット（50）は、被処理空気中に水を噴霧して凝集粒子（101）を水と共に回収するように構成されていてもよい。
【０１３３】
−第５変形例−
上記の各実施形態は、何れも本発明に係る集塵装置によって空気清浄機（10）を構成したものであったが、本発明に係る集塵装置を空気調和装置に組み込んでもよい。
【０１３４】
図２４に示すように、本変形例では、本発明に係る集塵装置を空気調和装置の室内ユニット（15）に組み込んでいる。この室内ユニット（15）は、室内熱交換器（26）を備える点を除き、上記各実施形態の空気清浄機（10）と同様に構成されている。室内ユニット（15）のケーシング（20）内では、捕集ユニット（50）とファン（25）の間に室内熱交換器（26）が配置される。即ち、この室内ユニット（15）では、プレフィルタユニット（30）と凝集ユニット（70）と捕集ユニット（50）とで構成された集塵装置の下流側に室内熱交換器（26）が配置されている。室内熱交換器（26）は、図外の室外ユニットとの間で循環する冷媒を被処理空気と熱交換させる。
【０１３５】
−第６変形例−
上記各実施形態では、本発明に係る集塵装置によって空気清浄機（10）を構成し、空気から浮遊粒子（100）を除去するようにしていたが、この集塵装置の処理対象は空気に限定されない。例えば、ボイラ等の燃焼排ガスを処理対象とし、燃焼ガス中に含まれる微細な粉塵等を集塵装置によって捕集するようにしてもよい。
【０１３６】
なお、以上の実施形態は、本質的に好ましい例示であって、本発明、その適用物、あるいはその用途の範囲を制限することを意図するものではない。
【産業上の利用可能性】
【０１３７】
以上説明したように、本発明は、空気や燃焼排ガスなどから浮遊粒子（100）を除去するための集塵装置について有用である。
【図面の簡単な説明】
【０１３８】
【図１】実施形態１の空気清浄機の内部構造を示す概略側面図である。
【図２】実施形態１の空気清浄機に設置された状態におけるプレフィルタユニット又は捕集ユニットの概略正面図である。
【図３】実施形態１における浄化ユニットの要部を示す拡大断面図である。
【図４】実施形態１の凝集ユニットを示す概略側面図である。
【図５】凝集ユニットの動作を模式的に示す要部拡大図である。
【図６】実施形態１の変形例１における粒子捕捉部の要部拡大図である。
【図７】実施形態１の変形例２の凝集ユニットを示す概略側面図である。
【図８】実施形態２の凝集ユニットを示す概略側面図であって、(Ａ)は遮蔽ユニットの第１状態を示し、(Ｂ)は遮蔽ユニットの第２状態を示す。
【図９】実施形態２の変形例１の凝集ユニットを示す概略側面図である。
【図１０】実施形態２の変形例３における空気清浄機の要部を示す概略斜視図である。
【図１１】実施形態２の変形例４における粒子捕捉部の要部を示す拡大側面図である。
【図１２】実施形態３の空気清浄機の内部構造を示す概略側面図である。
【図１３】実施形態４の空気清浄機の内部構造を示す概略側面図である。
【図１４】実施形態５の空気清浄機に設置された状態におけるプレフィルタユニット又は捕集ユニットの概略正面図である。
【図１５】実施形態５の変形例の空気清浄機に設置された状態におけるプレフィルタユニット又は捕集ユニットの概略正面図である。
【図１６】その他の実施形態の第１変形例における粒子捕捉部の概略斜視図である。
【図１７】その他の実施形態の第２変形例における浄化ユニットの要部を示す拡大断面図である。
【図１８】その他の実施形態の第２変形例における浄化ユニットの要部を示す拡大断面図である。
【図１９】その他の実施形態の第３変形例における浄化ユニットの要部を示す拡大側面図である。
【図２０】参考技術１における空気清浄機の内部構造を示す概略側面図である。
【図２１】その他の実施形態の第４変形例における空気清浄機の要部を示す概略側面図である。
【図２２】参考技術２における空気清浄機の要部を示す概略構成図である。
【図２３】参考技術２における空気清浄機の要部を示す概略構成図である。
【図２４】その他の実施形態の第５変形例における室内ユニットの内部構造を示す概略側面図である。
【符号の説明】
【０１３９】
20    ケーシング
23    空気通路（気体通路）
26    室内熱交換器（熱交換器）
51    集塵フィルタ
55    動力発生機構
56    駆動機構
61    掻き取りブラシ（掻き取り部材）
62    収容ケース（保持容器）
63    ノズル接続部
65    回転ブラシ（掻き取り部材）
66    掻き取りパッド（掻き取り部材）
70    凝集ユニット（凝集部）
71    粒子帯電部
74    粒子捕捉部
100   浮遊粒子
101   凝集粒子